(57)【要約】ニューメロロジにサブバンドを割り当てるシステム及び装置が提供される。システム帯域幅は帯域幅部分に分割され、帯域幅部分は、サブバンドをニューメロロジに割り当てる割当て単位として用いられる。サブバンド等の帯域幅にわたってリソースブロックを割り当てるシステム及び方法が更に提供される。利用可能な帯域幅がサブバンド部分に分割され、帯域幅部分は、ユーザ装置にリソースブロックを割り振る割振り単位として用いられる。
2019504590.tif 000002
【特許請求の範囲】
【請求項１】
複数の帯域幅部分のうち所与のニューメロロジに割り当てられる少なくとも１つの帯域幅部分を示すための帯域幅部分割当てを送信するステップであって、前記所与のニューメロロジは、関連ＯＦＤＭサブキャリア間隔及びシンボル期間を有する、ステップ、
を含む方法。
【請求項２】
前記所与のニューメロロジに割り当てられた示された前記少なくとも１つの帯域幅部分におけるリソースブロックの割振りを示すためのリソースブロック割振りフィールドを送信するステップ、
を更に含む、請求項１に記載の方法。
【請求項３】
リソースブロック割振りフィールドを送信するステップは、リソースブロック割振りが実行される帯域幅のサイズに比例するサイズを有するリソースブロック割振りフィールドを送信するステップを含む、
請求項２に記載の方法。
【請求項４】
帯域幅部分割当てを送信するステップは、前記複数の帯域幅部分の任意の組合わせを割り当てることができるように完全に柔軟なシグナリングスキームを用いるステップを含む、
請求項１乃至３のいずれか一項に記載の方法。
【請求項５】
帯域幅部分割当てを送信するステップは、前記複数の帯域幅部分の連続セットの指示のみをサポートするシグナリングスキームを用いるステップを含む、
請求項１乃至４のいずれか一項に記載の方法。
【請求項６】
前記複数の帯域幅部分は等しい帯域幅を有する、
請求項１乃至５のいずれか一項に記載の方法。
【請求項７】
前記複数の帯域幅部分は、複数のパターンのうち選択されたパターンに関連付けられた帯域幅を有し、
前記方法は更に、
前記選択されたパターンを示すためのパターン選択フィールドを送信するステップ、
を含む、請求項１乃至６のいずれか一項に記載の方法。
【請求項８】
ＵＥへの伝送に用いるために、前記ニューメロロジに割り当てられた前記少なくとも１つの帯域幅部分から少なくとも１つの帯域幅部分を選択するための帯域幅部分選択フィールドを送信するステップ、
を更に含む、請求項１乃至７のいずれか一項に記載の方法。
【請求項９】
ＵＥへの伝送に用いるために、ニューメロロジに割り当てられるサブバンドを選択するためのサブバンド選択フィールドを送信するステップ、
を更に含む、請求項１乃至８のいずれか一項に記載の方法。
【請求項１０】
選択された前記少なくとも１つの帯域幅部分におけるリソースブロック又はリソースブロックグループの割振りを示すためのリソースブロック割振りフィールドを送信するステップ、
を更に含む、請求項８に記載の方法。
【請求項１１】
選択された前記少なくとも１つのサブバンドにおけるリソースブロック又はリソースブロックグループの割振りを示すためのリソースブロック割振りフィールドを送信するステップ、
を更に含む、請求項９に記載の方法。
【請求項１２】
ニューメロロジに割り当てられた前記少なくとも１つの帯域幅部分の複数のサブバンド部分から少なくとも１つのサブバンド部分を選択するためのサブバンド部分選択フィールドを送信するステップと、
選択された前記少なくとも１つのサブバンドにおけるリソースブロック又はリソースブロックグループの割振りを示すためのリソースブロック割振りフィールド部分を送信するステップと、
を更に含む、請求項１乃至１１のいずれか一項に記載の方法。
【請求項１３】
前記サブバンド部分選択フィールドは、前記ニューメロロジに割り当てられた前記少なくとも１つの帯域幅部分のＬ個のサブバンド部分のセットからサブバンド部分を選択し、前記Ｌ個のサブバンド部分は等しい帯域幅を有する、
請求項１２に記載の方法。
【請求項１４】
選択された前記少なくとも１つの帯域幅部分の複数のサブバンド部分から少なくとも１つのサブバンド部分を選択するためのサブバンド部分選択フィールドを送信するステップと、
選択された前記少なくとも１つのサブバンドにおけるリソースブロック又はリソースブロックグループの割振りを示すためのリソースブロック割振りフィールド部分を送信するステップと、
を更に含む、請求項８乃至１３のいずれか一項に記載の方法。
【請求項１５】
選択された前記少なくとも１つのサブバンドの複数のサブバンド部分から少なくとも１つのサブバンド部分を選択するためのサブバンド部分選択フィールドを送信するステップと、
選択された前記少なくとも１つのサブバンド部分である特定の帯域幅におけるリソースブロック又はリソースブロックグループの割振りを示すためのリソースブロック割振りフィールドを送信するステップと、
を更に含む、請求項８乃至１４のいずれか一項に記載の方法。
【請求項１６】
第１のペイロードを伴う第１のＵＥには第１のリソースブロック割振りフィールドを用い、第２のペイロードを伴う第２のＵＥには第２のリソースブロック割振りフィールドを用いるステップ、
を含み、
前記第１のリソースブロック割振りフィールドは前記第２のリソースブロック割振りフィールドよりも小さい、
請求項１５に記載の方法。
【請求項１７】
ニューメロロジに割り当てられた少なくとも１つの帯域幅部分の複数のサブバンド部分から少なくとも１つのサブバンド部分を選択するためのサブバンド部分選択フィールドを送信するステップと、
選択された前記少なくとも１つのサブバンドにおけるリソースブロック又はリソースブロックグループの割振りを示すためのリソースブロック割振りフィールド部分を送信するステップと、
を含む方法。
【請求項１８】
請求項１乃至１７のいずれか一項に記載の方法を実行するように構成される帯域幅部分割当て部を備える装置。
【請求項１９】
請求項１７に記載の方法を実行するように構成されるリソースブロック割振り部、
を更に備える、請求項１８に記載の装置。
【請求項２０】
請求項１７に記載の方法を実行するように構成されるリソースブロック割振り部を備える装置。
【請求項２１】
複数の帯域幅部分のうち所与のニューメロロジに割り当てられる少なくとも１つの帯域幅部分を示すための帯域幅部分割当てを受信するステップであって、前記所与のニューメロロジは、関連ＯＦＤＭサブキャリア間隔及びシンボル期間を有する、ステップ、
を含む方法。
【請求項２２】
前記所与のニューメロロジに割り当てられた示された前記少なくとも１つの帯域幅部分におけるリソースブロックの割振りを示すためのリソースブロック割振りフィールドを受信するステップ、
を更に含む、請求項２１に記載の方法。
【請求項２３】
リソースブロック割振りフィールドを受信するステップは、リソースブロック割振りが実行される帯域幅のサイズに比例するサイズを有するリソースブロック割振りフィールドを受信するステップを含む、
請求項２２に記載の方法。
【請求項２４】
帯域幅部分割当てを受信するステップは、前記複数の帯域幅部分の任意の組合わせを割り当てることができるように完全に柔軟なシグナリングスキームを用いるステップを含む、
請求項２１乃至２３のいずれか一項に記載の方法。
【請求項２５】
帯域幅部分割当てを受信するステップは、前記複数の帯域幅部分の連続セットの指示のみをサポートするシグナリングスキームを用いるステップを含む、
請求項２１乃至２４のいずれか一項に記載の方法。
【請求項２６】
前記複数の帯域幅部分は等しい帯域幅を有する、
請求項２１乃至２５のいずれか一項に記載の方法。
【請求項２７】
前記複数の帯域幅部分は、複数のパターンのうち選択されたパターンに関連付けられた帯域幅を有し、
前記方法は更に、
前記選択されたパターンを示すためのパターン選択フィールドを受信するステップ、
を含む、請求項２１乃至２６のいずれか一項に記載の方法。
【請求項２８】
ＵＥへの伝送に用いるために、前記ニューメロロジに割り当てられた前記少なくとも１つの帯域幅部分から少なくとも１つの帯域幅部分を選択するための帯域幅部分選択フィールドを受信するステップ、
を更に含む、請求項２１乃至２７のいずれか一項に記載の方法。
【請求項２９】
ＵＥへの伝送に用いるために、ニューメロロジに割り当てられるサブバンドを選択するためのサブバンド選択フィールドを受信するステップ、
を更に含む、請求項２１乃至２８のいずれか一項に記載の方法。
【請求項３０】
選択された前記少なくとも１つの帯域幅部分におけるリソースブロック又はリソースブロックグループの割振りを示すためのリソースブロック割振りフィールドを受信するステップ、
を更に含む、請求項２１乃至２９のいずれか一項に記載の方法。
【請求項３１】
選択された前記少なくとも１つのサブバンドにおけるリソースブロック又はリソースブロックグループの割振りを示すためのリソースブロック割振りフィールドを受信するステップ、
を更に含む、請求項２１乃至３０のいずれか一項に記載の方法。
【請求項３２】
ニューメロロジに割り当てられた前記少なくとも１つの帯域幅部分の複数のサブバンド部分から少なくとも１つのサブバンド部分を選択するためのサブバンド部分選択フィールドを受信するステップと、
選択された前記少なくとも１つのサブバンドにおけるリソースブロック又はリソースブロックグループの割振りを示すためのリソースブロック割振りフィールド部分を受信するステップと、
を更に含む、請求項２１乃至３１のいずれか一項に記載の方法。
【請求項３３】
前記サブバンド部分選択フィールドは、前記ニューメロロジに割り当てられた前記少なくとも１つの帯域幅部分のＬ個のサブバンド部分のセットからサブバンド部分を選択し、前記Ｌ個のサブバンド部分は等しい帯域幅を有する、
請求項３１乃至３２のいずれか一項に記載の方法。
【請求項３４】
選択された前記少なくとも１つの帯域幅部分の複数のサブバンド部分から少なくとも１つのサブバンド部分を選択するためのサブバンド部分選択フィールドを受信するステップと、
選択された前記少なくとも１つのサブバンドにおけるリソースブロック又はリソースブロックグループの割振りを示すためのリソースブロック割振りフィールド部分を受信するステップと、
を更に含む、請求項２８乃至３３のいずれか一項に記載の方法。
【請求項３５】
選択された前記少なくとも１つのサブバンドの複数のサブバンド部分から少なくとも１つのサブバンド部分を選択するためのサブバンド部分選択フィールドを受信するステップと、
選択された前記少なくとも１つのサブバンド部分である特定の帯域幅におけるリソースブロック又はリソースブロックグループの割振りを示すためのリソースブロック割振りフィールドを受信するステップと、
を更に含む、請求項２８乃至３４のいずれか一項に記載の方法。
【請求項３６】
第１のペイロードを伴う第１のＵＥには第１のリソースブロック割振りフィールドを用い、第２のペイロードを伴う第２のＵＥには第２のリソースブロック割振りフィールドを用いるステップ、
を更に含み、
前記第１のリソースブロック割振りフィールドは前記第２のリソースブロック割振りフィールドよりも小さい、
請求項３５に記載の方法。
【請求項３７】
ニューメロロジに割り当てられた少なくとも１つの帯域幅部分の複数のサブバンド部分から少なくとも１つのサブバンド部分を選択するためのサブバンド部分選択フィールドを受信するステップと、
選択された前記少なくとも１つのサブバンドにおけるリソースブロック又はリソースブロックグループの割振りを示すためのリソースブロック割振りフィールド部分を受信するステップと、
を含む方法。
【請求項３８】
請求項２１乃至３６のいずれか一項に記載の方法を実行するように構成される帯域幅部分プロセッサを備える装置。
【請求項３９】
請求項３７に記載の方法を実行するように構成されるリソースブロック割振りプロセッサ、
を更に備える、請求項３８に記載の装置。
【請求項４０】
請求項３７に記載の方法を実行するように構成されるリソースブロック割振りプロセッサを備える装置。
【発明の詳細な説明】
【技術分野】
【０００１】
相互参照
本願は、２０１６年１月２６日に出願された、“System  and  Method  for  Bandwidth  Division  and  Resource  Block  Allocation（帯域幅分割及びリソースブロック割振りのためのシステム及び方法）”と題された米国特許出願第１５／００６，７７２号に対して優先権を主張し、その内容は全体として参照により本明細書に組み込まれる。
【０００２】
本願は、無線通信のためのシステム及び方法に関し、特に、無線ネットワークにおける無線リンク伝送のための直交周波数分割多重（ＯＦＤＭ）を組み込んだシステム及び方法のためのチャネル化に関する。
【背景技術】
【０００３】
ロングタームエボリューション（ＬＴＥ）ネットワークなどの無線通信ネットワークでは、ＯＦＤＭ伝送は、ほとんどの応用において、２つの隣接するサブキャリア間に１５ｋＨｚの間隔を用いる。専用の進化型マルチメディアブロードキャストマルチキャストサービス（ｅ−ＭＢＭＳ）サービスのために、７．５ｋＨｚサブキャリア間隔が提案された。所与の送信器は、１つのサブキャリア間隔又は他のものを用いて送信をおこなう。リソースブロック（ＲＢ）チャネル化は、リソースブロックを割振りの単位として定義することを含む。ＬＴＥでは、１５ｋＨｚと７．５ｋＨｚの選択肢の各々に対して、それぞれの固定チャネル化が定義されている。１５ｋＨｚのチャネル化は１リソースブロック当たり１２サブキャリアを採用し、７．５ｋＨｚのチャネル化は１リソースブロック当たり２４サブキャリアを採用する。両方のチャネル化のためのリソースブロックは、１８０ｋＨｚ帯域幅（ＢＷ）を有する。
【０００４】
ＬＴＥでは、上述したように、フレキシブルではないフレーム構造が採用され、固定されたリソースブロック定義が用いられる。ユーザ装置（ＵＥ）へのＲＢ割振りは、ＲＢ割振りインジケータビットマップを用いて行われる。ＲＢ割振りインジケータビットマップのサイズは、システム帯域幅に比例する。ＬＴＥ  ＲＢ割振りインジケータビットマップでは、１と０はどのＲＢがＵＥに割り当てられるかを示し、１は割り当てられることを意味し、０は割り当てられていないことを意味する。ＬＴＥは、タイプ０／１／２ＲＢ割振りインジケータビットマップを提供し、それらは全て、ＵＥがいくつのＲＢを占有するかに関係なく、所与の帯域幅に対して固定サイズを有する。異なるタイプのトラフィックが共存する場合、且つ／又は、中程度から大きい帯域幅内の全てのタイプのトラフィックにＲＢを割り当てるために同じビットマップサイズが用いられる場合、ＬＴＥ  ＲＢ割振りアプローチは非効率的となるおそれがある。
【発明の概要】
【０００５】
本発明の一態様によれば、複数の帯域幅部分のうち所与のニューメロロジに割り当てられる少なくとも１つの帯域幅部分を示すための帯域幅部分割当てを送信するステップであって、所与のニューメロロジは、関連ＯＦＤＭサブキャリア間隔及びシンボル期間を有する、ステップ、を含む方法が提供される。
【０００６】
更なる態様によれば、前の態様のいずれかにおいて、本方法は更に、所与のニューメロロジに割り当てられた、示された少なくとも１つの帯域幅部分におけるリソースブロックの割振りを示すためのリソースブロック割振りフィールドを送信するステップ、を含む。
【０００７】
更なる態様によれば、前の態様のいずれかにおいて、リソースブロック割振りフィールドを送信するステップは、リソースブロック割振りが実行される帯域幅のサイズに比例するサイズを有するリソースブロック割振りフィールドを送信するステップを含む。
【０００８】
更なる態様によれば、前の態様のいずれかにおいて、帯域幅部分割当てを送信するステップは、複数の帯域幅部分の任意の組合わせを割り当てることができるように完全に柔軟なシグナリングスキームを用いるステップを含む。
【０００９】
更なる態様によれば、前の態様のいずれかにおいて、帯域幅部分割当てを送信するステップは、複数の帯域幅部分の連続セットの指示のみをサポートするシグナリングスキームを用いるステップを含む。
【００１０】
更なる態様によれば、前の態様のいずれかにおいて、複数の帯域幅部分は等しい帯域幅を有する。
【００１１】
更なる態様によれば、前の態様のいずれかにおいて、複数の帯域幅部分は、複数のパターンのうち選択されたパターンに関連付けられた帯域幅を有する。本方法は更に、選択されたパターンを示すためのパターン選択フィールドを送信するステップを含む。
【００１２】
更なる態様によれば、前の態様のいずれかにおいて、本方法は更に、ＵＥへの伝送に用いるために、ニューメロロジに割り当てられた少なくとも１つの帯域幅部分から少なくとも１つの帯域幅部分を選択するための帯域幅部分選択フィールドを送信するステップ、を含む。
【００１３】
更なる態様によれば、前の態様のいずれかにおいて、本方法は更に、ＵＥへの伝送に用いるために、ニューメロロジに割り当てられるサブバンドを選択するためのサブバンド選択フィールドを送信するステップ、を含む。
【００１４】
更なる態様によれば、前の態様のいずれかにおいて、本方法は更に、選択された少なくとも１つの帯域幅部分におけるリソースブロック又はリソースブロックグループの割振りを示すためのリソースブロック割振りフィールドを送信するステップ、を含む。
【００１５】
更なる態様によれば、前の態様のいずれかにおいて、本方法は更に、選択された少なくとも１つのサブバンドにおけるリソースブロック又はリソースブロックグループの割振りを示すためのリソースブロック割振りフィールドを送信するステップ、を含む。
【００１６】
更なる態様によれば、前の態様のいずれかにおいて、本方法は更に、ニューメロロジに割り当てられた少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む。
【００１７】
更なる態様によれば、前の態様のいずれかにおいて、サブバンド部分選択フィールドは、ニューメロロジに割り当てられた少なくとも１つの帯域幅部分のＬ個のサブバンド部分のセットからサブバンド部分を選択する。Ｌ個のサブバンド部分は等しい帯域幅を有する。
【００１８】
更なる態様によれば、前の態様のいずれかにおいて、本方法は更に、選択された少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む。
【００１９】
更なる態様によれば、前の態様のいずれかにおいて、本方法は更に、選択された少なくとも１つのサブバンドの複数のサブバンド部分から少なくとも１つのサブバンド部分を選択するためのサブバンド部分選択フィールドを送信するステップと、選択された少なくとも１つのサブバンド部分である特定の帯域幅におけるリソースブロック又はリソースブロックグループの割振りを示すためのリソースブロック割振りフィールドを送信するステップと、を含む。
【００２０】
更なる態様によれば、前の態様のいずれかにおいて、本方法は更に、第１のペイロードを伴う第１のＵＥには第１のリソースブロック割振りフィールドを用い、第２のペイロードを伴う第２のＵＥには第２のリソースブロック割振りフィールドを用いるステップ、を含む。第１のリソースブロック割振りフィールドは第２のリソースブロック割振りフィールドよりも小さい。
【００２１】
本発明の別の態様によれば、ニューメロロジに割り当てられた少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む方法が提供される。
【００２２】
本発明の更に別の態様によれば、複数の帯域幅部分のうち所与のニューメロロジに割り当てられる少なくとも１つの帯域幅部分を示すための帯域幅部分割当てを受信するステップであって、所与のニューメロロジは、関連ＯＦＤＭサブキャリア間隔及びシンボル期間を有する、ステップ、を含む方法が提供される。
【００２３】
更なる態様によれば、前の態様のいずれかにおいて、本方法は更に、所与のニューメロロジに割り当てられた、示された少なくとも１つの帯域幅部分におけるリソースブロックの割振りを示すためのリソースブロック割振りフィールドを受信するステップ、を含む。
【００２４】
更なる態様によれば、前の態様のいずれかにおいて、リソースブロック割振りフィールドを受信するステップは、リソースブロック割振りが実行される帯域幅のサイズに比例するサイズを有するリソースブロック割振りフィールドを受信するステップを含む。
【００２５】
更なる態様によれば、前の態様のいずれかにおいて、帯域幅部分割当てを受信するステップは、複数の帯域幅部分の任意の組合わせを割り当てることができるように完全に柔軟なシグナリングスキームを用いるステップを含む。
【００２６】
更なる態様によれば、前の態様のいずれかにおいて、帯域幅部分割当てを受信するステップは、複数の帯域幅部分の連続セットの指示のみをサポートするシグナリングスキームを用いるステップを含む。
【００２７】
更なる態様によれば、前の態様のいずれかにおいて、複数の帯域幅部分は等しい帯域幅を有する。
【００２８】
更なる態様によれば、前の態様のいずれかにおいて、複数の帯域幅部分は、複数のパターンのうち選択されたパターンに関連付けられた帯域幅を有する。本方法は更に、選択されたパターンを示すためのパターン選択フィールドを受信するステップ、を含む。
【００２９】
更なる態様によれば、前の態様のいずれかにおいて、本方法は更に、ＵＥへの伝送に用いるために、ニューメロロジに割り当てられた少なくとも１つの帯域幅部分から少なくとも１つの帯域幅部分を選択するための帯域幅部分選択フィールドを受信するステップ、を含む。
【００３０】
更なる態様によれば、前の態様のいずれかにおいて、本方法は更に、ＵＥへの伝送に用いるために、ニューメロロジに割り当てられるサブバンドを選択するためのサブバンド選択フィールドを受信するステップ、を含む。
【００３１】
更なる態様によれば、前の態様のいずれかにおいて、本方法は更に、選択された少なくとも１つの帯域幅部分におけるリソースブロック又はリソースブロックグループの割振りを示すためのリソースブロック割振りフィールドを受信するステップ、を含む。
【００３２】
更なる態様によれば、前の態様のいずれかにおいて、本方法は更に、選択された少なくとも１つのサブバンドにおけるリソースブロック又はリソースブロックグループの割振りを示すためのリソースブロック割振りフィールドを受信するステップ、を含む。
【００３３】
更なる態様によれば、前の態様のいずれかにおいて、本方法は更に、ニューメロロジに割り当てられた少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む。
【００３４】
更なる態様によれば、前の態様のいずれかにおいて、サブバンド部分選択フィールドは、ニューメロロジに割り当てられた少なくとも１つの帯域幅部分のＬ個のサブバンド部分のセットからサブバンド部分を選択する。Ｌ個のサブバンド部分は等しい帯域幅を有する。
【００３５】
更なる態様によれば、前の態様のいずれかにおいて、本方法は更に、選択された少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む。
【００３６】
更なる態様によれば、前の態様のいずれかにおいて、本方法は更に、選択された少なくとも１つのサブバンドの複数のサブバンド部分から少なくとも１つのサブバンド部分を選択するためのサブバンド部分選択フィールドを受信するステップと、選択された少なくとも１つのサブバンド部分である特定の帯域幅におけるリソースブロック又はリソースブロックグループの割振りを示すためのリソースブロック割振りフィールドを受信するステップと、を含む。
【００３７】
更なる態様によれば、前の態様のいずれかにおいて、本方法は更に、第１のペイロードを伴う第１のＵＥには第１のリソースブロック割振りフィールドを用い、第２のペイロードを伴う第２のＵＥには第２のリソースブロック割振りフィールドを用いるステップ、を含む。第１のリソースブロック割振りフィールドは第２のリソースブロック割振りフィールドよりも小さい。
【００３８】
本発明の更に別の態様によれば、ニューメロロジに割り当てられた少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む方法が提供される。
【図面の簡単な説明】
【００３９】
添付図面を参照して、本開示の実施形態を説明する。
【００４０】
【図１】経時変化し得るシステム帯域幅内の異なるニューメロロジの共存の例を示す。
【図２】システム帯域幅をどのように固定サイズの帯域幅部分に分解できるかの例を示す。
【図３】分散された帯域幅部分をどのようにしてニューメロロジに割り当てることができるかの例を示す。
【図４Ａ】不等な帯域幅部分の例示的パターンを示す。
【図４Ｂ】不等な帯域幅部分の例示的パターンを示す。
【図５Ａ】サブバンド選択フィールド及びＲＢ割振りフィールドを含むシグナリングメッセージの例示的構造を示す。
【図５Ｂ】例えば図５Ａのメッセージ構造を用いた、サブバンドの選択を示す例を示す
【図５Ｃ】例えば図５Ａのメッセージ構造を用いた、サブバンドの選択を示す例を示す。
【図５Ｄ】帯域幅部分選択フィールド及びＲＢ割振りフィールドを含むシグナリングメッセージの例示的構造を示す。
【図５Ｅ】例えば図５Ｄのメッセージ構造を用いた、帯域幅部分の選択を示す例を示す。
【図５Ｆ】例えば図５Ｄのメッセージ構造を用いた、帯域幅部分の選択を示す例を示す。
【図５Ｇ】例えば図５Ｄのメッセージ構造を用いた、帯域幅部分の選択を示す例を示す。
【図６Ａ】帯域幅部分をどのようにしてサブバンド部分に分解できるかの例を示す。
【図６Ｂ】帯域幅部分選択フィールド、サブバンド部分選択フィールド及びＲＢ割振りフィールドを含むシグナリングメッセージの例示的構造を示す。
【図６Ｃ】サブバンド選択フィールド、サブバンド部分選択フィールド及びＲＢ割振りフィールドを含むシグナリングメッセージの例示的構造を示す。
【図７Ａ】記載のＲＢ割振りを用いて割り振られるリソースブロックを送信することのできる送信器の簡易ブロック図を示す。
【図７Ｂ】記載のＲＢ割振りを用いて割り振られるリソースブロックを受信することのできる受信器の簡易ブロック図を示す。
【図８Ａ】周波数リソースをニューメロロジに割当て、リソースブロックをＵＥに割り振る方法のフローチャートである。
【図８Ｂ】周波数リソースをニューメロロジに割当て、リソースブロックをＵＥに割り振る方法のフローチャートである。
【図８Ｃ】周波数リソースをニューメロロジに割当て、リソースブロックをＵＥに割り振る方法のフローチャートである。
【図８Ｄ】周波数リソースをニューメロロジに割当て、リソースブロックをＵＥに割り振る方法のフローチャートである。
【図８Ｅ】周波数リソースをニューメロロジに割当て、リソースブロックをＵＥに割り振る方法のフローチャートである。
【図８Ｆ】周波数リソースをニューメロロジに割当て、リソースブロックをＵＥに割り振る方法のフローチャートである。
【図９】様々なシグナリングスキームについてオーバヘッドを比較するチャートである。
【発明を実施するための形態】
【００４１】
ＬＴＥネットワークによって採用される固定のサブキャリア間隔は、例えば非常に高速のモビリティシナリオ（例えば最高５００ｋｍ／ｈ）（これにより、ドップラ周波数シフトが増大する可能性がある）において、或いは１０ＧＨｚ帯域のような高い無線周波数帯域が使用されるシナリオ（位相雑音が大きな周波数シフトにつながる可能性がある）において、無線ネットワークにおいてアプリケーションを制限することがある。そのような場合、固定の１５ｋＨｚサブキャリア間隔は、周波数領域におけるドップラ作用を受け入れるのに十分なほど広くない場合がある。一方、マシン型通信（ＭＴＣ）又はデバイス間（Ｄ２Ｄ）通信を採用する低コストのデバイスは、カバレッジを向上させエネルギーを節約するために、より狭い周波数帯域幅を用いることができる。このような場合、サブキャリア間隔は、ＬＴＥなどのネットワークで用いられる間隔よりも狭くすることができる。加えて、ＬＴＥは、送信時間間隔（ＴＴＩ）が短く、より広いサブキャリア間隔を必要とする、非常に低い遅延を必要とするトラフィックをサポートすることができない場合がある。例えば、低遅延のトラフィックには、６０ｋＨｚ又は３０ｋＨｚのサブキャリア間隔がより良好に適することがある。
【００４２】
異なるニューメロロジの使用に関して柔軟性のあるフレーム構造が提案されている。ニューメロロジはサブキャリア間隔とＯＦＤＭシンボル持続時間の観点から定義され、また、逆高速フーリエ変換（ＩＦＦＴ）長さ、ＴＴＩ長さ、サイクリックプレフィックス（ＣＰ）長さ若しくは持続時間などの他のパラメータによって定義することもできる。このようなニューメロロジは、異なるニューメロロジの間のようにサブキャリア間隔が互いの倍数であり、ＴＴＩの長さもまた異なるニューメロロジの間のように互いの倍数であるという意味で、スケーラブルで有り得る。このような複数のニューメロロジにまたがるスケーラブルな設計は、例えば時分割複信（ＴＤＤ）コンテキストにおけるスケーラブルな全ＯＦＤＭシンボル持続時間といった、実施利益を提供する。参照によりその全体が本明細書に組み込まれる、出願人の同時係属の米国仮出願第６２／１６９，３４２号（Liqing  Zhangら、名称“System  and  Scheme  of  Scalable  OFDM  Numerology”）も参照されたい。これは、スケーラブルなニューメロロジを用いたシステム及び方法を提供する。
【００４３】
以下の表１は、「フレーム構造」の下の４つの列にスケーラブルなニューメロロジを有する柔軟なフレーム構造設計の例を含む。フレームは、スケーラブルな４つのニューメロロジの１つ又は組み合わせを用いて構築することができる。比較のために、表の右側の列には、従来の固定ＬＴＥニューメロロジが示される。表１において、各ニューメロロジは、第１のＯＦＤＭシンボル数には第１のサイクリックプレフィックス長を、第２のＯＦＤＭシンボル数には第２のサイクリックプレフィックス長を用いる。例えば、「フレーム構造」の下の第１列において、ＴＴＩは、サイクリックプレフィックス長が１．０４ｕｓである３つのシンボルと、その後にサイクリックプレフィックス長が１．３ｕｓである４つのシンボルとを含む。
【００４４】
第１列は、最短のＯＦＤＭシンボル持続時間も有する６０ｋＨｚサブキャリア間隔のニューメロロジに関する。これは、Vehicle-to-Any（Ｖ２Ｘ）通信や産業用無線制御アプリケーションなどの超低遅延通信に適することがある。第２列は、３０ｋＨｚサブキャリア間隔のニューメロロジに関する。第３列は、１５ｋＨｚサブキャリア間隔のニューメロロジに関する。このニューメロロジは、ＴＴＩ内に７つのシンボルしか存在しないことを除いて、ＬＴＥと同じ構成を有する。これは、ブロードバンドサービスに適することがある。第４列は、７．５ｋＨｚ間隔を伴い、４つのニューメロロジの中で最も長いＯＦＤＭシンボル持続時間も有するニューメロロジに関する。これは、カバレッジの向上とブロードキャストに役立つことがある。列挙された４つのニューメロロジのうち、３０ｋＨｚと６０ｋＨｚのサブキャリア間隔を有するものは、サブキャリア間隔がより広いので、ドップラースプレッド（速い移動条件）に対してよりロバストである。
【表１】
2019504590.tif 000003
【００４５】
理解されるべきこととして、表１の例の具体的なニューメロロジは説明のためのものであり、他のニューメロロジを組み合わせたフレキシブルなフレーム構造を代替として用いることができる。
【００４６】
複数のニューメロロジが同時に共存する信号を送信するために、ＯＦＤＭベースの信号を採用することができる。更に具体的には、複数のサブバンドＯＦＤＭ信号をそれぞれ異なるサブバンド内において同時に生成することができ、各サブバンドは異なるサブキャリア間隔を有する（より一般には、異なるニューメロロジで）。複数のサブバンド信号は、送信（例えばダウンリンク送信）のために単一の信号に結合される。或いは、例えば複数のユーザ装置（ＵＥ）からのアップリンク送信のために、複数のサブバンド信号が別個の送信器から送信されてよい。特定の例では、フィルタリングされたＯＦＤＭ（ｆ−ＯＦＤＭ）を採用することができる。ｆ−ＯＦＤＭでは、フィルタリングを用いて各サブバンドＯＦＤＭ信号のスペクトルを整形し、それからサブバンドＯＦＤＭ信号が伝送のために合成される。ｆ−ＯＦＤＭは、帯域外放射を低減し、伝送を改善し、異なるサブキャリア間隔の使用の結果としてもたらされる非直交性に対処する。
【００４７】
一部の実施形態では、リソースブロックの定義は設定可能である。例えば、ＲＢあたりのトーン数は時間及び／又はシステム帯域幅にわたって変化することができる。例えば、参照によりその全体が本明細書に組み込まれる、出願人の同時係属の米国出願第１４／９５２，９８３号（２０１５年１１月２６日出願、名称“Resource  Block  Chanelization  for  OFDM-based  Numerologies”）を参照されたい。
【００４８】
トラフィックタイプに依存して、所与のＵＥのトラフィックは、利用可能な帯域幅の小さい（例えばＶｏＩＰパケット）又は大きい部分（例えばビデオストリーミング）のみを占用してよい。利用可能な帯域幅の著しく異なるサイズの部分を占有するＵＥのために、同じＲＢ割振りビットマップを用いることは、非効率的である。本発明の一部の実施形態によれば、異なるＵＥが異なるペイロードサイズを有するという事実を考慮することにより、ＲＢ割振りビットマップのサイズを低減することができる。
【００４９】
本発明の第１の実施形態セットは、システム帯域幅（例えば２０ＭＨｚ）をサブバンドに分解し、サブバンドの１つ以上をニューメロロジに割り当てる方法を提供する。複数のサブバンドがニューメロロジに割り当てられるとき、それらは連続しても分散してもよい。第２の実施形態セットは、特定の帯域幅（例えば第１の実施形態セットのうちの１つによって指定された帯域幅）内で、リソースブロックを効率的に割り振る方法を提供する。
【００５０】
本明細書で用いられるように、サブバンドは、ニューメロロジに割り当てられる連続的な範囲の帯域幅である。典型的には、各サブバンドに対して個々のスペクトル整形フィルタが用いられる。これは、以下に導入される帯域幅部分又はサブバンド部分などの部分と対比されるものであり、それ自体はスペクトル整形要件に関係しない。例えばシステム帯域幅全体が単一のスペクトル整形フィルタ内にあるとき、システム帯域幅は帯域幅部分に分割することができる。帯域幅部分は、スペクトル整形要件に関係しない。１つ以上の帯域幅部分の連続したセットを用いて、サブバンドを定義することができる。同様に、サブバンドは１つ以上のサブバンド部分に分割することができる。サブバンド部分もスペクトル整形要件に関係しないが、むしろ、ＲＢ割振りのためのサブバンド内のスペクトルの割振りのために、ブロックを構築する機能を果たす。サブバンド内のサブバンド部分は、サブバンドに関連付けられた共通のニューメロロジを共有する。
【００５１】
ニューメロロジに対するサブバンドの割当ては経時変化する可能性があり、一部の実施形態ではこの割振りは静的又は準静的であるが、設定可能である。ニューメロロジに割り振られるサブバンドのサイズ及び数は、トラフィックタイプと、サービスされるユーザの数と、対応するペイロードとに依存してよい。柔軟なサブバンド割当ての更なる利点は、同じキャリア内の複数のサービスの独立した共存をサポートする、将来性のある設計を可能にすることである。
【００５２】
図１では、経時変化するニューメロロジに対するサブバンドの割当ての例が、周波数を縦軸、時間を横軸として示される。第１の期間９０の間、利用可能な帯域幅は、４つのＯＦＤＭサブバンド１００，１０２，１０４，１０６の間で分割される。サブバンド１００では、７．５ｋＨｚサブキャリア間隔のニューメロロジが用いられる。サブバンド１０２では、１５ｋＨｚサブキャリア間隔のニューメロロジが用いられる。サブバンド１０４では、３０ｋＨｚサブキャリア間隔のニューメロロジが用いられる。サブバンド１０６では、６０ｋＨｚサブキャリア間隔のニューメロロジが用いられる。帯域幅の分割は、時間ｔ１で新しい分割が割り当てられるように変化する。第２の期間９２の間、利用可能な帯域幅は２つのＯＦＤＭサブバンド１０８，１１０の間で分割される。サブバンド１０８では、７．５ｋＨｚサブキャリア間隔のニューメロロジが用いられる。サブバンド１１０では、１５ｋＨｚのサブキャリア間隔のニューメロロジが用いられる。図１の例では、各ニューメロロジに単一のサブバンドが割り当てられる。一部の実施形態では、複数の分散したサブバンドをニューメロロジに割り当てることができる。
【００５３】
ニューメロロジ割当てとニューメロロジに対するサブバンド帯域幅割当て
一部の実施形態では、特定のＵＥとの通信に用いられるニューメロロジは予め設定され、信号伝達される必要はない。他の実施形態では、ＵＥは複数のニューメロロジをサポートし、ネットワーク（通常は基地局）がニューメロロジの用いるＵＥに信号を送信する。
【００５４】
本発明の実施形態は、上述のサブバンドと呼ばれる利用可能なシステム帯域幅の部分をニューメロロジに柔軟に割り当て、この割当てをＵＥに伝えるメカニズムを提供する。
【００５５】
一部の実施形態では、上位レイヤ無線リソース制御（ＲＲＣ）シグナリングは、ニューメロロジ割当てと、割り当てられたニューメロロジに対するサブバンド帯域幅割当てとの一方又は両方に用いられる。これは、例えば、割当てを動的に変更することが望ましくない場合は、適切で有り得る。このアプローチでは、オーバヘッドが比較的低い。一部の実施形態では、例えば動的制御チャネル上の動的シグナリングが、ニューメロロジ割当てと、割り当てられたニューメロロジに対するサブバンド帯域幅割当てとの一方又は両方に用いられる。このアプローチは、例えば割当てを素早く動的に変更できるようにする必要がある場合に、適切であろう。このアプローチでは、オーバヘッドが比較的高い。
【００５６】
一部の実施形態では、サブバンド割当てを目的として、システム帯域幅は、固定の等しいサイズの帯域幅部分のセットに分解される。図２に一例が示される（一般に２００に示される）。利用可能な帯域幅がＬ個の同じサイズの帯域幅部分に分割されていることが示されている。そして該部分は、ニューメロロジに対する割振りに利用可能である。
【００５７】
一部の実施形態では、Ｌ個の帯域幅部分のセットを定義することにより、所与のニューメロロジに対する帯域幅部分の完全に柔軟な割当てがサポートされる。すなわち、１つ以上の帯域幅部分の任意の組合わせを、所与のニューメロロジに割り当てることができる。この場合、所与のニューメロロジに割り当てられる帯域幅部分は、分散していても連続していてもよい。ニューメロロジに対する帯域幅部分の任意の組合わせの割当てを伝えるために、Ｌビットのシグナリングを用いることができる。分散された部分のセットがニューメロロジに割り当てられる場合、帯域幅部分の各別個の部分又はグループがそれぞれのサブバンドであり、各サブバンドに対して別々のＯＦＤＭ処理が必要である。このアプローチの一例は図３に示される（一般に２０２に示される）。１００ＭＨｚの帯域幅が、それぞれ２０ＭＨｚのＬ＝５個の帯域幅部分に分割され、特定のニューメロロジに帯域幅部分１，５が割り振られる。この場合、２つの帯域幅部分のそれぞれに対して、別々のＯＦＤＭ処理が必要である。５つのシグナリングビットを用いて、５つの帯域幅部分の任意の組合わせのニューメロロジに対する割当てを伝えることができる。例えば“１０００１”は、ニューメロロジに対する第１の帯域幅部分及び第５の帯域幅部分の割当てを伝えることができる。残りの帯域幅部分は、１つ以上の他のニューメロロジに割り当てられてよい。
【００５８】
一部の実施形態では、所与のニューメロロジに対する帯域幅部分の連続割当てがサポートされる。この場合、利用可能な帯域幅はＬ個の帯域幅部分に分割され、１つ以上の連続する帯域幅部分のセットが第１のニューメロロジに割り当てられる。残りの帯域幅部分は、他のニューメロロジに割り当てられてよい。この場合、連続する帯域幅部分のセットを特定することに特有のシグナリングスキームを採用することができ、これは上述の完全に柔軟なスキームよりも効率的である。具体的な例では、log2(L(L+1))-1ビットのシグナリングは、ニューメロロジに対する帯域幅部分の隣接グループの割当てを伝えるのに十分である。ここで、サブバンド分割のビットマップは、利用可能な帯域幅部分の数よりも小さい。例えば、図３に示される５つの部分のうち３つの隣接部分｛２  ３  ４｝の割振りは、全ての可能なlog2(5(5+1))-1個の選択肢からの１つの選択肢であり、４ビットのビットマップを採用することができる。可能な連続選択の例：｛１２３４５，１２３４，１２３，１２，１，２３４５，２３４，２３，２，３４５，３４，３，４５，４，５｝。具体的な例では、この可能な連続選択のセットは、０００１から始まる４ｂｉｔビットマップにマッピングされ、その結果、０１１０は｛２  ３  ４｝のシーケンスを示すために用いることができる。
【００５９】
このアプローチの一例が図３に示される。１００ＭＨｚの帯域幅が、それぞれ２０ＭＨｚのＬ＝５個の帯域幅部分に分割され、連続する帯域幅部分２，３，４が特定のニューメロロジに割り振られる。
この場合、３つの連続する帯域幅部分２，３，４は、共通のフィルタ又はスペクトルマスクで処理することができる。
【００６０】
一部の実施形態では、帯域幅部分の完全に柔軟な割当てのためのシグナリングスキームと、帯域幅部分の連続する群の割当てのためのシグナリングスキームの両方がサポートされる。
【００６１】
Ｌの選択は、柔軟性とオーバヘッドとのトレードオフである。Ｌの値が大きいほど、オーバヘッドの増大を犠牲にして柔軟性が増大する。しかしながら、このシグナリングは準静的におこなうことができる。その場合、シグナリングが全てのＴＴＩ制御信号に挿入されるより動的なシグナリングに比べて、より大きなＬのオーバヘッドの影響が低減される。
【００６２】
別の実施形態，では、利用可能な帯域幅は、事前定義されたパラメータのセットの１つに従って、帯域幅部分（等しくても等しくなくてもよい）のセットに分割される。各パターンは、利用可能な帯域幅の、様々なサイズの帯域幅部分の事前定義されたセットへの分割を定義する。これらのパターンは、異なるニューメロロジによって提供されるトラフィック統計に基づいて確立することができる。例えば、１つ以上の小さめの帯域幅部分及び１つ以上の大きめの帯域幅部分を有するパターンを定義することができる。小さめの帯域幅部分は、（ＭＴＣ）トラフィック（短いパケット）などのより小さなペイロードトラフィックのために、適切なニューメロロジに割り当てることができる。大きめの帯域幅部分は、モバイルブロードバンド（ＭＢＢ）などのより大きなペイロードトラフィックのために、適切なニューメロロジに割り当てることができる。所与のパターンに対する小さめの帯域幅部分の数と大きめの帯域幅部分の数は、小さめのペイロードトラフィックと大きめのペイロードトラフィックとの間のトラフィックにおける所望の又は予想されるバランスに対応するように選択することができる。
【００６３】
異なるシステム帯域幅の選択、例えば１０，２０，１００ＭＨｚなどで、同じ又は異なるパターンを用いることができる。
【００６４】
図４Ａに第１の例示的パターン２０４が示される。利用可能な帯域幅は、サイズｘ、２ｘ、５ｘ、２ｘ及びｘの５つの帯域幅部分に分割されている。ｘは最も小さい部分のサイズである。
【００６５】
図４Ｂには第２の例示的パターン２０６が示されており、利用可能な帯域幅がサイズ６ｘと５ｘの２つの部分に分割されている。
【００６６】
Ｄ個の事前定義されたパラメータが存在する場合、log2Dビットを用いて、該パターンのうち特定の１つの識別情報を信号送信することができる。
【００６７】
帯域幅部分のＤ個の事前定義されたパラメータのセットを定義したならば、上記の２つの帯域幅部分割当てスキームのいずれかを用いて、所与のニューメロロジに対して帯域幅部分割当てを伝えることができる。例えば、log2D+Lビットを用いて、特定のパターンを識別し、Ｌ個の帯域幅部分の任意の組合わせをニューメロロジに割り当てることができる。或いは、log2D+log2(L(L+1))-1ビットを用いて、特定のパターンを識別し、帯域幅部分の連続セットをニューメロロジに割り当てることができる。この方法は、上述の等サイズ帯域幅部分ベースのアプローチと比較して、より少ない信号を必要とすることがある。
【００６８】
特定の例では、図４Ａのパターン２０４については、サイズｘの帯域幅のエッジの２つの部分が、ＭＴＣトラフィックに適したニューメロロジに割り当てられてよく、残りのサイズ２ｘ、５ｘ、２ｘの部分は、ＭＢＢトラフィックに適したニューメロロジに割り当てられてよい。
【００６９】
ＲＢ割振りのシステム及び方法
ＲＢ割振りは、どのリソースブロックがどのＵＥのためのトラフィックに用いられるかを定義し、それらのリソースブロックを示すシグナリングをＵＥに送信するプロセスである。
【００７０】
前述したように、ＬＴＥでは、ＲＢ割振りビットマップは、割り振られたシステム帯域幅に対して固定サイズを有する。同じ固定サイズのビットマップを用いて、小さなペイロードトラフィック（例えば１〜２個のＲＢ）と大きなペイロードトラフィック（例えば２０〜３０個のＲＢ）が割り当てられる。この従来の固定サイズのビットマップアプローチは、帯域幅内の任意の場所でリソースブロックグループ（ＲＢＧ）又はＲＢをスケジューリングするための最大限の柔軟性を提供し、可能な限り最良の周波数多様性を可能にする。
【００７１】
しかしながら、多くの場合、最良の可能な周波数多様性は要求されず、且つ／又は、チャネルは中程度の周波数選択性しかない場合があり、且つ／又は、ＵＥは、利用可能な帯域幅のごく一部だけにスケジューリングされる必要がある場合がある。所与のＵＥは、利用可能な帯域幅の全てにわたってスケジューリングされる必要はない場合がある。
【００７２】
一部の実施形態では、所与のニューメロロジに対して１つ以上のサブバンドがまとめて割り当てられる。割り当てられるサブバンドは、連続であっても不連続であってもよい。ニューメロロジへのサブバンドの割当ては、例えば上述のアプローチの１つを用いて、ＵＥにシグナリングされてよい。加えて、所与のＵＥのためのニューメロロジは、前述のように、予め定義されるか、或いは以前にシグナリングされるかのいずれかである。一部の実施形態では、サブバンドを割り当てるのではなく、１つ以上の帯域幅部分のセットをニューメロロジに割り当てることができる。帯域幅部分は、前述の帯域幅部分方法論、或いは何らかの他の方法を用いて、割り当てることができる。以下、図５Ａ〜５Ｅを参照して、サブバンド割当てアプローチ及び帯域幅分割割当てアプローチを更に詳述する。
【００７３】
ＲＢ割振りについて、一部の実施形態では、帯域幅部分選択フィールドは、ニューメロロジに割り当てられたどの帯域幅部分が所与のＵＥのために用いられるのかを示すために用いられる。一部の実施形態では、帯域幅部分選択フィールドを用いる代わりに、サブバンド選択フィールドは、どのニューメロロジに割り当てられたどのサブバンドが所与のＵＥのために用いられるのかを示すために用いられる。いずれの場合も、ＲＢ割振りフィールドは、指定された帯域幅内のＲＢ割振りを示す。一部の実施形態では、両方のアプローチがサポートされ、ＵＥ単位で適用することができる。帯域幅部分選択フィールド及びサブバンド選択アプローチについては、図６Ａ〜６Ｃを参照して以下に更に詳細に説明する。
【００７４】
サブバンドの選択
図５Ａを参照すると、メッセージの一例は、ＲＢ割振りをＵＥに伝えるために、サブバンド選択フィールド５０２とＲＢ割振りフィールド５０４の２つのフィールドを含む。ここで図５Ｂを参照すると、ＭＴＣトラフィックのための７．５ＫＨｚサブキャリア間隔を有するニューメロロジに、利用可能な帯域幅のエッジに２つのサブバンド５１１，５１３が割り当てられる例が示されている。ＵＥが両方のサブバンド５１１，５１３で受信できるようにするためには、別個のＯＦＤＭ処理が必要であり、これはＵＥにとって犠牲が大きくなり得る。より具体的には、他のユーザ及び／又はニューメロロジに対するサブバンドの割振りがある可能性があるの、エッジ上の割り当てられたサブバンド間で、ＵＥは、各サブバンドを含む帯域幅の一部を別個にフィルタリングする必要がある。
【００７５】
図５Ｂの例では、第１のサブバンド５１１が選択され、第２のサブバンド５１３が選択されないことを示す「１０」に設定された２ビットフィールドの形で、サブバンド選択フィールドを用いることができる。これは、ＲＢが第１のサブバンド５１１内において特定のＵＥに割り当てられることを意味する。
【００７６】
ここで図５Ｃを参照すると、ＭＴＣトラフィックのための７．５ＫＨｚサブキャリア間隔を有するニューメロロジが第１のサブバンド５２８と第２のサブバンド５３０に割り当てられる例が示されている。第１のサブバンド５２８が選択され、第２のサブバンド５３０が選択されないことを示す「１０」に設定された２ビットフィールドの形で、サブバンド選択フィールドを用いることができる。これは、ＲＢが第２のサブバンド内において特定のＵＥに割り当てられることを意味する。
【００７７】
理解されるべきこととして、サブバンド部分選択フィールドは、記述された特定のフォーマットに限定されず、各サブバンドはそれぞれのビットを有する。図５Ｂに戻り、最大の柔軟性を得るために、上述したような２ビットフィールドを用いて、所与のＵＥが一方又は両方のサブバンドにわたってスケジューリングされるか否かを示すことができる。シグナリングオーバヘッドを低減するために、単一のビットフィールドを用いて、２つのサブバンドのどちらにＵＥがスケジューリングされているかを示すことができる。
【００７８】
帯域幅部分の選択
図５Ｄを参照すると、ＵＥにＲＢ割振りを伝えるために、帯域幅部分選択フィールド５０８及びＲＢ割振りフィールド５１０を有するメッセージの第２の例が示されている。
【００７９】
ここで図５Ｅを参照すると、ＭＴＣトラフィックのための７．５ＫＨｚのサブキャリア間隔を有するニューメロロジに、利用可能な帯域幅のエッジの２つの帯域幅部分が割り当てられる例が示されている。
【００８０】
この例では、帯域幅部分選択フィールドは、ＭＴＣトラフィックのためのニューメロロジ、すなわち特定のＵＥが割り当てられたニューメロロジに割り当てられた帯域幅部分のサブセットを示す。この例では、帯域幅部分選択フィールドは「１０」に設定された２ビットのフィールドであり、第１の帯域幅部分が選択され、第２の帯域幅部分が選択されていないことを示す。これは、ＲＢが第１の帯域幅部分内において特定のＵＥに割り当てられることを意味する。
【００８１】
ここで図５Ｆを参照すると、ＭＴＣトラフィックのための７．５ＫＨｚサブキャリア間隔を有するニューメロロジが、３つの連続帯域幅部分５２０，５２２，５２４及び非連続帯域幅部分５２６のセットに割り当てられる例が示されている。代替として、ニューメロロジには第１のサブバンド５２８及び第２のサブバンド５３０が割り当てられる。この例では、帯域幅部分選択フィールドは、ＭＴＣトラフィックのためのニューメロロジ、すなわち特定のＵＥが割り当てられたニューメロロジに割り当てられる帯域幅部分のサブセットを示す。この例では、帯域幅部分選択フィールドは「１１１０」に設定された４ビットのフィールドであり、第１、第２及び第３の帯域幅部分５２０，５２２，５２４が選択され、第４の帯域幅部分５２６が選択されていないことを示す。これは、ＲＢが第１、第２及び第３の帯域幅部分内で特定のＵＥに割り当てられることを意味する。
【００８２】
帯域幅部分選択の別の例が図５Ｇに示されており、同じ帯域幅部分割当て図５Ｆが採用される。この場合、帯域幅部分選択フィールドは「１１００」に設定された４ビットのフィールドであり、第１及び第２の帯域幅部分５２０，５２２が選択され、第３及び第４の帯域幅部分５２４，５２６が選択されていないことを示す。これは、ＲＢが第１及び第２の帯域幅部分内において特定のＵＥに割り当てられることを意味する。
【００８３】
理解されるべきこととして、帯域幅部分選択フィールドは、各帯域幅部分がそれぞれのビットを有する上述の特定のフォーマットに限定されない。図５Ｅの例に戻ると、最大の柔軟性を得るために、上述の２ビットフィールドは、所与のＵＥが一方又は両方の帯域幅部分にわたってスケジューリングされるか否かを示すために用いることができる。低減された柔軟性のために、単一のビットフィールドを用いて、２つのサブバンドのどちらにＵＥがスケジューリングされているかを示すことができる。
【００８４】
サブバンド部分の選択
一部の実施形態では、周波数リソース、例えば前述の帯域幅部分選択フィールドで選択された帯域幅部分や、前述のサブバンド選択フィールドで選択されたサブバンドは、サブバンド部分に分割される。これは、前述の実施形態における、利用可能な帯域幅がどのように帯域幅部分に分割されるのかと同様である。選択された帯域幅部分又はサブバンドは、Ｋ個のサブバンド部分に分割されてよい。Ｋは、スケジューリングの柔軟性とオーバヘッドとの間のトレードオフを表す設計パラメータである。Ｋの選択は、ニューメロロジの下でサービスを受けるＵＥのタイプによって影響され得る。図６Ａには、周波数リソース６００がＫ個のサブバンド部分Ｂ１，Ｂ２，…，ＢＫに分割される例が示される。サブバンド部分選択フィールドは、Ｋ個のサブバンド部分のうちの１つ以上を選択する。Ｋ個のサブバンド部分の任意の組合わせの任意の選択をサポートするには、Ｋビットが必要とされるが、Ｋ個のサブバンド部分の連続する組合わせを選択するには、log2(K(K+1))-1ビットを用いることができる。
【００８５】
図６Ｂにはメッセージフォーマット６０２の一例が示され、ＵＥにＲＢ割振りを伝えるために用いられる３つのフィールドを示す。第１のフィールドは、前述の帯域幅部分選択フィールドである。第２のフィールドは、選択された帯域幅部分内のサブバンド部分の１つ以上を示すサブバンド部分選択フィールドである。第３のフィールドは、ＲＢ割振りフィールドであり、サブバンド部分選択フィールドによって選択されたサブバンド部分にリソースブロックを割り振る。
【００８６】
図６Ｃには、メッセージフォーマット６０４の別の例が示される。第１のフィールドは、前述のサブバンド選択フィールドである。第２のフィールドは、選択された帯域幅部分内のサブバンド部分の１つ以上を示すサブバンド部分選択フィールドである。第３のフィールドは、ＲＢ割振りフィールドであり、サブバンド部分選択フィールドによって選択されたサブバンド部分にリソースブロックを割り振る。
【００８７】
一部の実施形態では、帯域幅部分選択フィールドは、ニューメロロジに割り当てられたどの帯域幅部分が所与のＵＥのために用いられるのかを示すのに用いられる。或いは、一部の実施形態では、サブバンド選択フィールドは、ニューメロロジに割り当てられたどのサブバンドが所与のＵＥのために用いられるのかを示すのに用いられる。いずれの場合も、ＲＢ割振りフィールドは、特定の帯域幅内においてＲＢ割振りを示す。
【００８８】
一部の実施形態では、リソースの分割は、論理サブバンド部分を用いて論理的に実行される。つまり、各論理サブバンド部分は、物理的に連続した、又は非連続な物理サブバンド部分に関連付けることができる。サブバンド帯域幅の論理分割は、効率的なリソース割振りのために、特に中程度からより大きい帯域幅について、構成することができる。物理的に不連続なサブバンド部分のセットの割当ては、論理部分の連続したセットを割り振ることによっておこなうことができる。例えば、論理部分１，２，３，４，５，６，７，８は、物理部分１，３，５，７，２，４，６，８と関連付けられてよい。この場合、連続する論理部分１〜４のセットを割り当てることにより、不連続な物理部分１，３，５，７が割り当てられることになる。
【００８９】
ここで図７Ａを参照すると、上述したように割り振られたリソースブロックの送信に用いることのできる送信器の一部の例示的な簡易ブロック図が示されている。この例では、Ｌ個のサポートされたニューメロロジが存在する。Ｌ＞＝２である。
【００９０】
各ニューメロロジについて、それぞれの送信チェーン４００，４０２が存在する。図７Ａは、第１及び第Ｌのニューメロロジの単純化された機能を示す。他のニューメロロジの機能は同様である。また、図７Ｂには、第１のニューメロロジを用いて動作する受信器の受信チェーン４２９の簡略化された機能が示されている。
【００９１】
第１のニューメロロジの送信チェーン４００は、コンスタレーションマッピング部４１０、サブキャリアマッピング・グルーピング部４１１、サブキャリア間隔ＳＣ１を伴うＩＦＦＴ４１２、パイロットシンボル（Ｐ／Ｓ）及びサイクリックプレフィックス挿入部４１４、及びスペクトル整形フィルタ４１６を含む。動作時、コンスタレーションマッピング部４１０は、Ｋ１個のユーザのユーザデータ（より一般には、データ及び／又はシグナリングを含むユーザコンテンツ）を受信する。Ｋ１＞＝１である。コンスタレーションマッピング部４１０は、Ｋ１個のユーザの各々のためのユーザデータをコンスタレーションシンボルのそれぞれのストリームにマッピングし、コンスタレーションシンボル４２０のストリームを出力する。シンボル当たりのユーザビット数は、コンスタレーションマッピング部４１０によって採用される特定のコンスタレーションに依存する。４直交振幅変調（４−ＱＡＭ）の例では、各ユーザからの２ビットがそれぞれのＱＡＭシンボルにマッピングされる。
【００９２】
ＯＦＤＭシンボル期間ごとに、サブキャリアマッピング・グルーピング部４１１は、コンスタレーションマッピング部４１０によって生成されたコンスタレーションシンボルをグループ化し、４２２において、ＩＦＦＴ４１２の最大Ｐ個の入力にマッピングする。グループ化及びマッピングは、スケジューラ情報（チャネル化及びリソースブロック割当てに基づく）に基づいて、送信チェーン４００で処理されているＫ１個のユーザのコンテンツに対する定義されたリソースブロック定義及び割振りに従って、実行される。Ｐは、ＩＦＦＴ４１２のサイズである。Ｐ個の入力の全てが必ずしも各ＯＦＤＭシンボル期間に用いられるわけではない。ＩＦＦＴ４１２は、最大Ｐ個のシンボルまで受信し、４２４においてＰ個の時間領域サンプルを出力する。これに続いて、いくつかの実施では、時間領域パイロットシンボルが挿入され、ブロック４１４においてサイクリックプレフィックスが追加される。スペクトル整形フィルタ４１６は、送信チェーン４００の出力におけるスペクトルを制限するフィルタｆ１（ｎ）を適用して、送信チェーン４０２などの他の送信チェーンの出力との干渉を防止する。また、スペクトル整形フィルタ４１６は、各サブバンドの割り当てられた周波数位置へのシフトを実行する。
【００９３】
送信チェーン４０２などの他の送信チェーンの機能は同様である。全ての送信チェーンの出力は、チャネルでの伝送前に結合部４０４で結合され
【００９４】
また、例えば本明細書に記載の方法の１つを用いて帯域幅割当てを実行する帯域幅部分割当て部４２６も示されている。帯域幅割当て部４２６の出力は、サブキャリアマッピング・グルーピング部４１１及びスペクトル整形フィルタ４１６に渡される。加えて、帯域幅部分割当りを搬送する信号が、チャネル上での伝送の前に結合部４０４に伝えられる。
【００９５】
また、例えば本明細書に記載の方法の１つを用いてＲＢ割振りを実行するＲＢ割振り部４２８も示される。リソースブロック割振り部の出力は、サブキャリアマッピング・グルーピング部４１１に渡される。加えて、ＲＢ割振りを搬送する信号が、チャネル上での伝送の前に結合部４０４に伝えられる。
【００９６】
図７Ｂは、４２９に示される第１のニューメロロジで動作するＵＥの受信チェーンの簡易ブロック図を示す。一部の実施形態では、所与のユーザ装置は、特定のニューメロロジで動作するように永続的に構成される。一部の実施形態では、所与のＵＥは構成可能なニューメロロジで動作する。いずれの場合でも、柔軟なリソースブロック定義がＵＥによってサポートされる。受信チェーン４２９は、スペクトル整形フィルタ４３０、サイクリックプレフィックス削除部及びパイロットシンボルプロセッサ４３２、高速フーリエ変換（ＦＦＴ）４３４、サブキャリアでマッピング部４３６及びイコライザ４３８を含む。受信チェーンの各要素は、送信チェーンで実行されたものと対応する逆動作を実行する。別のニューメロロジで動作しているＵＥの受信チェーンも同様である。
【００９７】
図７Ａのサブキャリアマッピング・グルーピングブロック４１１は、リソースブロック定義及びスケジューリングに基づいて、コンスタレーションシンボルをグループ化及びマッピングする。所与のユーザに関するリソースブロック定義が確立されると、ＲＢ割振り又はスケジューリングは、いつどの周波数でユーザのリソースブロックが送信されるかを決定するのに用いられる。ここでは、ＲＢ割振りについて既に説明した方法のいずれかを用いることができる。
【００９８】
また、例えば本明細書に記載の方法の１つを用いて、無線を介して受信された帯域幅割当てを含む信号を処理する帯域幅部分プロセッサ４６０が示される。帯域幅部分プロセッサ４６０の出力は、スペクトル整形フィルタ４３０及びサブキャリアデマッピング部４３６に渡される。
【００９９】
また、例えば本明細書に記載の方法の１つを用いて、無線を介して受信されたＲＢ割当てを含む信号を処理するＲＢ割振りプロセッサ４６０が示される。ＲＢ割振りプロセッサ４６０の出力は、サブキャリアデマッピング部４３６に渡される。
【０１００】
上述の実施形態の１つ又は組合わせを適用するための様々な選択肢を、図８Ａ〜８Ｆのフローチャートを参照して説明する。以下のフローチャートでは、例えば先に述べた方法の１つを用いて、パターン選択、帯域幅部分割当て、帯域幅部分選択、サブバンド選択及びＲＢ割振りのうち１つ以上を実行することができる。
【０１０１】
図８Ａは、帯域幅部分をニューメロロジに割り当てるための第１の方法のフローチャートである。本方法は、ブロック８００において、可能なパターンのセットからパターンを選択することから始まる。次に、ブロック８０２において、該パターンからの帯域幅部分がニューメロロジに割り当てられる。一部の実施形態では、ＲＢは、ブロック８０４で割り当てられた帯域幅にわたって割り当てられる。
【０１０２】
図８Ｂは、帯域幅部分をニューメロロジに割り当てるための第２の方法のフローチャートである。これには、用いられる帯域幅部分の固定パターンが存在する。ブロック８０６において、帯域幅部分がニューメロロジに割り当てられる。一部の実施形態では、ブロック８０８において割り当てられた帯域幅にわたってＲＢが割り振られる。
【０１０３】
図８Ｃは、ＵＥに対する第１のＲＢ割振りの第１の方法のフローチャートである。本方法は、ブロック８１０において、帯域幅部分を選択することから始まる。ブロック８１２において、選択された帯域幅部分にわたってリソースブロックが割り当てられる。
【０１０４】
図８Ｄは、ＵＥに対するＲＢ割振りの第２の方法のフローチャートである。本方法は、ブロック８１４において、サブバンドを選択することから始まる。ブロック８１６において、選択されたサブバンドにわたってリソースブロックが割り当てられる。
【０１０５】
図８Ｅは、ＵＥに対するＲＢ割振りの第３の方法のフローチャートである。本方法は、ブロック８２０において、帯域幅部分を選択することから始まる。ブロック８２２において、サブバンド部分が選択される。ブロック８２４において、選択されたサブバンド部分にわたってリソースブロックが割り当てられる。
【０１０６】
図８Ｆは、ＵＥに対するＲＢ割振りの第２の方法のフローチャートである。本方法は、ブロック８２６において、サブバンドを選択することから始まる。ブロック８２８において、サブバンド部分が選択される。ブロック８３０において、選択されたサブバンド部分にわたってリソースブロックが割り当てられる。
【０１０７】
図８Ｃ〜図８Ｆのいずれの方法も、スタンドアローンベースで実現されてもよいし、図８Ａ及び８Ｂの方法のうちの１つと組み合わせて実現されてもよい。
【０１０８】
ＲＢ割振りフィールドの例示的ビットマップ
本明細書に記載されたメカニズムの１つ以上で特定された帯域幅内のＲＢの割振りは、任意の適切な方式で実行することができる。ＲＢ割振りを実行するためにビットマップを用いる場合、一般に、指定された帯域幅が小さいほど、ビットマップのサイズは小さくなる。これを理由に、異なるＵＥに対して異なるサイズの帯域幅を指定することができるＵＥ中心アプローチを用いることができる。その結果、より小さい帯域幅が指定されたＵＥにＲＢ割振りを伝達するためには、より少ないオーバヘッドが必要である。
【０１０９】
例えば、以下の表９．４にまとめられるように、ＬＴＥによって提供される方法の１つを用いることができる。
【表９．４】
2019504590.tif 000004
ＲＢ割振りフィールドの様々な具体例について説明する。第１の例では、ニューメロロジに割り当てられる帯域幅部分は、同時割振りの
【数１】
2019504590.tif 000005
個のリソースブロックをサポートする。例えば、帯域幅部分が１０００個のサブキャリア幅であり、各リソースブロックが１０個のサブキャリアである場合、
【数２】
2019504590.tif 000006
は１００である。帯域幅部分をＫ個のサブバンド部分に分割することは、１００個のリソースブロックをＫ個のリソースブロックグループ（サブバンド部分ごとに１つのグループ）に分割する効果を有する。一部の実施形態では、サブバンド部分選択は、所与のＵＥに対するＲＢ割振りに用いるために、ＫからＭ個のサブバンド部分を選択する。これが行われた後、
【数３】
2019504590.tif 000007
個のリソースブロックの中でＲＢ割振りが実行される。任意に、ＲＢＧ割振りは、このリソースブロックのセットにわたっておこなうことができる。一部の実施形態では、より多くのＲＢがスケジューリングに利用可能になると、ＲＢＧのサイズが増大する。サブバンド部分の任意の組合わせを選択するには、最大Ｋビットが必要である。
【０１１０】
一部の実施形態では、サブバンド部分選択は、所与のＵＥに対するＲＢ割振りに用いるために、Ｋから単一のサブバンド部分を選択する。これが行われた後、
【数４】
2019504590.tif 000008
個のリソースブロックの中でＲＢ割振りが実行される。単一のサブバンド部分を選択するには、最大log2Kビットが必要である。
【０１１１】
この方法は、所与のＵＥに対して割り振られたリソースブロック数ＭがＫよりもかなり小さい（Ｍ＜＜Ｋ）とき、オーバヘッドの節約を提供することができる。フルサブバンド割振りが必要となるときの大きなペイロードの場合、ＲＢ割振りは帯域幅部分全体に基づくことができる。
【０１１２】
図９に、オーバヘッド比較の例が示される。これは、Ｋ＝２個のサブバンド部分とＫ＝４個のサブバンド部分を用いる場合のオーバヘッドを、サブバンド部分割当てを用いない（すなわちＫ＝１）場合のオーバヘッドと比較する。横軸は、ＲＢ割振りに用いられる帯域幅のパーセンテージを示す。この例では、２０ＭＨｚの帯域幅と１５ｋＨｚのサブキャリア間隔がある。１２個のサブキャリアを伴うリソースブロックが用いられる。サブバンド部分選択フィールドは、Ｋ個のサブバンド部分からＭ個を選択するのに用いられ、ＲＢ割振りはＲＢＧを用いて実行される。
【０１１３】
Ｋ＝１の場合、帯域幅の１００％がＲＢ割振りに用いられ、そのシナリオのためのオーバヘッドが３００で示される。このアプローチはＬＴＥアプローチと一致する
【０１１４】
Ｋ＝４，Ｍ＝１の場合、サブバンド部分の２５％がＲＢ割振りに用いられ、そのシナリオのためのオーバヘッドが３０２で示される。
【０１１５】
Ｋ＝２，Ｍ＝１の場合、サブバンド部分の５０％がＲＢ割振りに用いられ、そのシナリオのためのオーバヘッドが３０４で示される。
【０１１６】
Ｋ＝４，Ｍ＝２の場合、サブバンド部分の５０％がＲＢ割振りに用いられ、そのシナリオのためのオーバヘッドが３０６で示される。
【０１１７】
Ｋ＝４，Ｍ＝３の場合、サブバンド部分の７５％がＲＢ割振りに用いられ、そのシナリオのためのオーバヘッドが３０８で示される。
【０１１８】
Ｋ＝２，Ｍ＝２の場合、サブバンド部分の１００％がＲＢ割振りに用いられ、そのシナリオのためのオーバヘッドが３１０で示される。
【０１１９】
Ｋ＝４，Ｍ＝４の場合、サブバンド部分の１００％がＲＢ割振りに用いられ、そのシナリオのためのオーバヘッドが３１２で示される。
【０１２０】
予想されるように、Ｍ＜＜Ｋの場合、より少ないビットが必要とされる。
【０１２１】
一部の実施形態では、サブバンド分割が動的に実行される。他の実施形態では、静的又は半静的なサブバンド分割が存在してよい。サブバンド分割が動的でない場合、ＵＥは、半静的に、より長い計画対象期間、特定のサブバンドを割り当てられる。この情報を伝達することは、例えば、各ＴＴＩの一部でありＴＴＩの第１のいくつかのＯＦＤＭシンボルに現れることがある物理ダウンリンク／アップリンク制御チャネル（ＰＤＣＣＨ又はＰＵＣＣＨ）を用いて送信することのできるサブバンド部分選択及びＲＢ割振りとは別個におこなうことができる。
【０１２２】
上記の教示に照らして、本開示の多数の変更及び変形が可能である。したがって、理解されるべきこととして、添付の特許請求の範囲の範囲内で、本開示は、本明細書に具体的に記載されたものとは異なる方法で実施することができる。
【図１】
2019504590.tif 000009
【図２】
2019504590.tif 000010
【図３】
2019504590.tif 000011
【図４Ａ】
2019504590.tif 000012
【図４Ｂ】
2019504590.tif 000013
【図５Ａ】
2019504590.tif 000014
【図５Ｂ】
2019504590.tif 000015
【図５Ｃ】
2019504590.tif 000016
【図５Ｄ】
2019504590.tif 000017
【図５Ｅ】
2019504590.tif 000018
【図５Ｆ】
2019504590.tif 000019
【図５Ｇ】
2019504590.tif 000020
【図６Ａ】
2019504590.tif 000021
【図６Ｂ】
2019504590.tif 000022
【図６Ｃ】
2019504590.tif 000023
【図７Ａ】
2019504590.tif 000024
【図７Ｂ】
2019504590.tif 000025
【図８Ａ】
2019504590.tif 000026
【図８Ｂ】
2019504590.tif 000027
【図８Ｃ】
2019504590.tif 000028
【図８Ｄ】
2019504590.tif 000029
【図８Ｅ】
2019504590.tif 000030
【図８Ｆ】
2019504590.tif 000031
【図９】
2019504590.tif 000032
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
利用可能な帯域幅における複数の帯域幅部分のうち少なくとも１つの第１の帯域幅部分の第１のニューメロロジに対する割当てを示すための帯域幅部分割当てを送信するステップであって、前記第１のニューメロロジは、関連ＯＦＤＭサブキャリア間隔及びシンボル期間を有する、ステップ、
を含む方法であって、
前記複数の帯域幅部分は、第２のニューメロロジに割り当てられる少なくとも１つの第２の帯域幅部分を有し、前記第２のニューメロロジは、関連付けられた第２のＯＦＤＭサブキャリア間隔及び第２のシンボル期間を有し、
前記第１のＯＦＤＭサブキャリア間隔は、７．５ｋＨｚ、１５ｋＨｚ、３０ｋＨｚ及び６０ｋＨｚのうち１つであり、
前記第２のＯＦＤＭサブキャリア間隔は、７．５ｋＨｚ、１５ｋＨｚ、３０ｋＨｚ及び６０ｋＨｚのうち異なる１つである、
方法。
【請求項２】
前記第１のニューメロロジに割り当てられた、示された前記少なくとも１つの第１の帯域幅部分におけるリソースブロックの割振りを示すためのリソースブロック割振りフィールドを送信するステップ、
を更に含む、請求項１に記載の方法。
【請求項３】
リソースブロック割振りフィールドを送信するステップは、リソースブロック割振りが実行される帯域幅のサイズに比例するサイズを有するリソースブロック割振りフィールドを送信するステップを含む、
請求項２に記載の方法。
【請求項４】
帯域幅部分割当てを送信するステップは、前記複数の帯域幅部分の任意の組合わせを割り当てることができるように完全に柔軟なシグナリングスキームを用いるステップを含む、
請求項１に記載の方法。
【請求項５】
帯域幅部分割当てを送信するステップは、前記複数の帯域幅部分の連続セットの指示のみをサポートするシグナリングスキームを用いるステップを含む、
請求項１に記載の方法。
【請求項６】
前記複数の帯域幅部分は等しい帯域幅を有する、
請求項１に記載の方法。
【請求項７】
前記複数の帯域幅部分は、複数のパターンのうち選択されたパターンに関連付けられた帯域幅を有し、
前記方法は更に、
前記選択されたパターンを示すためのパターン選択フィールドを送信するステップ、
を含む、請求項１に記載の方法。
【請求項８】
ＵＥへの伝送に用いるために、前記ニューメロロジに割り当てられた前記少なくとも１つの帯域幅部分から少なくとも１つの帯域幅部分を選択するための帯域幅部分選択フィールドを送信するステップ、
を更に含む、請求項１に記載の方法。
【請求項９】
ＵＥへの伝送に用いるために、ニューメロロジに割り当てられるサブバンドを選択するためのサブバンド選択フィールドを送信するステップ、
を更に含む、請求項１に記載の方法。
【請求項１０】
選択された前記少なくとも１つの帯域幅部分におけるリソースブロック又はリソースブロックグループの割振りを示すためのリソースブロック割振りフィールドを送信するステップ、
を更に含む、請求項８に記載の方法。
【請求項１１】
選択された前記少なくとも１つのサブバンドにおけるリソースブロック又はリソースブロックグループの割振りを示すためのリソースブロック割振りフィールドを送信するステップ、
を更に含む、請求項９に記載の方法。
【請求項１２】
ニューメロロジに割り当てられた前記少なくとも１つの帯域幅部分の複数のサブバンド部分から少なくとも１つのサブバンド部分を選択するためのサブバンド部分選択フィールドを送信するステップと、
選択された前記少なくとも１つのサブバンドにおけるリソースブロック又はリソースブロックグループの割振りを示すためのリソースブロック割振りフィールド部分を送信するステップと、
を更に含む、請求項１に記載の方法。
【請求項１３】
前記サブバンド部分選択フィールドは、前記ニューメロロジに割り当てられた前記少なくとも１つの帯域幅部分のＬ個のサブバンド部分のセットからサブバンド部分を選択し、前記Ｌ個のサブバンド部分は等しい帯域幅を有する、
請求項１２に記載の方法。
【請求項１４】
選択された前記少なくとも１つの帯域幅部分の複数のサブバンド部分から少なくとも１つのサブバンド部分を選択するためのサブバンド部分選択フィールドを送信するステップと、
選択された前記少なくとも１つのサブバンドにおけるリソースブロック又はリソースブロックグループの割振りを示すためのリソースブロック割振りフィールド部分を送信するステップと、
を更に含む、請求項８に記載の方法。
【請求項１５】
選択された前記少なくとも１つのサブバンドの複数のサブバンド部分から少なくとも１つのサブバンド部分を選択するためのサブバンド部分選択フィールドを送信するステップと、
選択された前記少なくとも１つのサブバンド部分である特定の帯域幅におけるリソースブロック又はリソースブロックグループの割振りを示すためのリソースブロック割振りフィールドを送信するステップと、
を更に含む、請求項８に記載の方法。
【請求項１６】
第１のペイロードを伴う第１のＵＥには第１のリソースブロック割振りフィールドを用い、第２のペイロードを伴う第２のＵＥには第２のリソースブロック割振りフィールドを用いるステップ、
を含み、
前記第１のリソースブロック割振りフィールドは前記第２のリソースブロック割振りフィールドよりも小さい、
請求項１５に記載の方法。
【請求項１７】
請求項１乃至１６のいずれか一項に記載の方法を実行するように構成された基地局。
【手続補正２】
【補正対象書類名】明細書
【補正対象項目名】全文
【補正方法】変更
【補正の内容】
【発明の詳細な説明】
【技術分野】
【０００１】
相互参照
本願は、２０１６年１月２６日に出願された、“System  and  Method  for  Bandwidth  Division  and  Resource  Block  Allocation（帯域幅分割及びリソースブロック割振りのためのシステム及び方法）”と題された米国特許出願第１５／００６，７７２号に対して優先権を主張し、その内容は全体として参照により本明細書に組み込まれる。
【０００２】
本願は、無線通信のためのシステム及び方法に関し、特に、無線ネットワークにおける無線リンク伝送のための直交周波数分割多重（ＯＦＤＭ）を組み込んだシステム及び方法のためのチャネル化に関する。
【背景技術】
【０００３】
ロングタームエボリューション（ＬＴＥ）ネットワークなどの無線通信ネットワークでは、ＯＦＤＭ伝送は、ほとんどの応用において、２つの隣接するサブキャリア間に１５ｋＨｚの間隔を用いる。専用の進化型マルチメディアブロードキャストマルチキャストサービス（ｅ−ＭＢＭＳ）サービスのために、７．５ｋＨｚサブキャリア間隔が提案された。所与の送信器は、１つのサブキャリア間隔又は他のものを用いて送信をおこなう。リソースブロック（ＲＢ）チャネル化は、リソースブロックを割振りの単位として定義することを含む。ＬＴＥでは、１５ｋＨｚと７．５ｋＨｚの選択肢の各々に対して、それぞれの固定チャネル化が定義されている。１５ｋＨｚのチャネル化は１リソースブロック当たり１２サブキャリアを採用し、７．５ｋＨｚのチャネル化は１リソースブロック当たり２４サブキャリアを採用する。両方のチャネル化のためのリソースブロックは、１８０ｋＨｚ帯域幅（ＢＷ）を有する。
【０００４】
ＬＴＥでは、上述したように、フレキシブルではないフレーム構造が採用され、固定されたリソースブロック定義が用いられる。ユーザ装置（ＵＥ）へのＲＢ割振りは、ＲＢ割振りインジケータビットマップを用いて行われる。ＲＢ割振りインジケータビットマップのサイズは、システム帯域幅に比例する。ＬＴＥ  ＲＢ割振りインジケータビットマップでは、１と０はどのＲＢがＵＥに割り当てられるかを示し、１は割り当てられることを意味し、０は割り当てられていないことを意味する。ＬＴＥは、タイプ０／１／２ＲＢ割振りインジケータビットマップを提供し、それらは全て、ＵＥがいくつのＲＢを占有するかに関係なく、所与の帯域幅に対して固定サイズを有する。異なるタイプのトラフィックが共存する場合、且つ／又は、中程度から大きい帯域幅内の全てのタイプのトラフィックにＲＢを割り当てるために同じビットマップサイズが用いられる場合、ＬＴＥ  ＲＢ割振りアプローチは非効率的となるおそれがある。
【発明の概要】
【０００５】
本発明の一態様によれば、複数の帯域幅部分のうち所与のニューメロロジに割り当てられる少なくとも１つの帯域幅部分を示すための帯域幅部分割当てを送信するステップであって、所与のニューメロロジは、関連ＯＦＤＭサブキャリア間隔及びシンボル期間を有する、ステップ、を含む方法が提供される。
【０００６】
更なる態様によれば、前の態様のいずれかにおいて、本方法は更に、所与のニューメロロジに割り当てられた、示された少なくとも１つの帯域幅部分におけるリソースブロックの割振りを示すためのリソースブロック割振りフィールドを送信するステップ、を含む。
【０００７】
更なる態様によれば、前の態様のいずれかにおいて、リソースブロック割振りフィールドを送信するステップは、リソースブロック割振りが実行される帯域幅のサイズに比例するサイズを有するリソースブロック割振りフィールドを送信するステップを含む。
【０００８】
更なる態様によれば、前の態様のいずれかにおいて、帯域幅部分割当てを送信するステップは、複数の帯域幅部分の任意の組合わせを割り当てることができるように完全に柔軟なシグナリングスキームを用いるステップを含む。
【０００９】
更なる態様によれば、前の態様のいずれかにおいて、帯域幅部分割当てを送信するステップは、複数の帯域幅部分の連続セットの指示のみをサポートするシグナリングスキームを用いるステップを含む。
【００１０】
更なる態様によれば、前の態様のいずれかにおいて、複数の帯域幅部分は等しい帯域幅を有する。
【００１１】
更なる態様によれば、前の態様のいずれかにおいて、複数の帯域幅部分は、複数のパターンのうち選択されたパターンに関連付けられた帯域幅を有する。本方法は更に、選択されたパターンを示すためのパターン選択フィールドを送信するステップを含む。
【００１２】
更なる態様によれば、前の態様のいずれかにおいて、本方法は更に、ＵＥへの伝送に用いるために、ニューメロロジに割り当てられた少なくとも１つの帯域幅部分から少なくとも１つの帯域幅部分を選択するための帯域幅部分選択フィールドを送信するステップ、を含む。
【００１３】
更なる態様によれば、前の態様のいずれかにおいて、本方法は更に、ＵＥへの伝送に用いるために、ニューメロロジに割り当てられるサブバンドを選択するためのサブバンド選択フィールドを送信するステップ、を含む。
【００１４】
更なる態様によれば、前の態様のいずれかにおいて、本方法は更に、選択された少なくとも１つの帯域幅部分におけるリソースブロック又はリソースブロックグループの割振りを示すためのリソースブロック割振りフィールドを送信するステップ、を含む。
【００１５】
更なる態様によれば、前の態様のいずれかにおいて、本方法は更に、選択された少なくとも１つのサブバンドにおけるリソースブロック又はリソースブロックグループの割振りを示すためのリソースブロック割振りフィールドを送信するステップ、を含む。
【００１６】
更なる態様によれば、前の態様のいずれかにおいて、本方法は更に、ニューメロロジに割り当てられた少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む。
【００１７】
更なる態様によれば、前の態様のいずれかにおいて、サブバンド部分選択フィールドは、ニューメロロジに割り当てられた少なくとも１つの帯域幅部分のＬ個のサブバンド部分のセットからサブバンド部分を選択する。Ｌ個のサブバンド部分は等しい帯域幅を有する。
【００１８】
更なる態様によれば、前の態様のいずれかにおいて、本方法は更に、選択された少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む。
【００１９】
更なる態様によれば、前の態様のいずれかにおいて、本方法は更に、選択された少なくとも１つのサブバンドの複数のサブバンド部分から少なくとも１つのサブバンド部分を選択するためのサブバンド部分選択フィールドを送信するステップと、選択された少なくとも１つのサブバンド部分である特定の帯域幅におけるリソースブロック又はリソースブロックグループの割振りを示すためのリソースブロック割振りフィールドを送信するステップと、を含む。
【００２０】
更なる態様によれば、前の態様のいずれかにおいて、本方法は更に、第１のペイロードを伴う第１のＵＥには第１のリソースブロック割振りフィールドを用い、第２のペイロードを伴う第２のＵＥには第２のリソースブロック割振りフィールドを用いるステップ、を含む。第１のリソースブロック割振りフィールドは第２のリソースブロック割振りフィールドよりも小さい。
【００２１】
本発明の別の態様によれば、ニューメロロジに割り当てられた少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む方法が提供される。
【００２２】
本発明の更に別の態様によれば、複数の帯域幅部分のうち所与のニューメロロジに割り当てられる少なくとも１つの帯域幅部分を示すための帯域幅部分割当てを受信するステップであって、所与のニューメロロジは、関連ＯＦＤＭサブキャリア間隔及びシンボル期間を有する、ステップ、を含む方法が提供される。
【００２３】
更なる態様によれば、前の態様のいずれかにおいて、本方法は更に、所与のニューメロロジに割り当てられた、示された少なくとも１つの帯域幅部分におけるリソースブロックの割振りを示すためのリソースブロック割振りフィールドを受信するステップ、を含む。
【００２４】
更なる態様によれば、前の態様のいずれかにおいて、リソースブロック割振りフィールドを受信するステップは、リソースブロック割振りが実行される帯域幅のサイズに比例するサイズを有するリソースブロック割振りフィールドを受信するステップを含む。
【００２５】
更なる態様によれば、前の態様のいずれかにおいて、帯域幅部分割当てを受信するステップは、複数の帯域幅部分の任意の組合わせを割り当てることができるように完全に柔軟なシグナリングスキームを用いるステップを含む。
【００２６】
更なる態様によれば、前の態様のいずれかにおいて、帯域幅部分割当てを受信するステップは、複数の帯域幅部分の連続セットの指示のみをサポートするシグナリングスキームを用いるステップを含む。
【００２７】
更なる態様によれば、前の態様のいずれかにおいて、複数の帯域幅部分は等しい帯域幅を有する。
【００２８】
更なる態様によれば、前の態様のいずれかにおいて、複数の帯域幅部分は、複数のパターンのうち選択されたパターンに関連付けられた帯域幅を有する。本方法は更に、選択されたパターンを示すためのパターン選択フィールドを受信するステップ、を含む。
【００２９】
更なる態様によれば、前の態様のいずれかにおいて、本方法は更に、ＵＥへの伝送に用いるために、ニューメロロジに割り当てられた少なくとも１つの帯域幅部分から少なくとも１つの帯域幅部分を選択するための帯域幅部分選択フィールドを受信するステップ、を含む。
【００３０】
更なる態様によれば、前の態様のいずれかにおいて、本方法は更に、ＵＥへの伝送に用いるために、ニューメロロジに割り当てられるサブバンドを選択するためのサブバンド選択フィールドを受信するステップ、を含む。
【００３１】
更なる態様によれば、前の態様のいずれかにおいて、本方法は更に、選択された少なくとも１つの帯域幅部分におけるリソースブロック又はリソースブロックグループの割振りを示すためのリソースブロック割振りフィールドを受信するステップ、を含む。
【００３２】
更なる態様によれば、前の態様のいずれかにおいて、本方法は更に、選択された少なくとも１つのサブバンドにおけるリソースブロック又はリソースブロックグループの割振りを示すためのリソースブロック割振りフィールドを受信するステップ、を含む。
【００３３】
更なる態様によれば、前の態様のいずれかにおいて、本方法は更に、ニューメロロジに割り当てられた少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む。
【００３４】
更なる態様によれば、前の態様のいずれかにおいて、サブバンド部分選択フィールドは、ニューメロロジに割り当てられた少なくとも１つの帯域幅部分のＬ個のサブバンド部分のセットからサブバンド部分を選択する。Ｌ個のサブバンド部分は等しい帯域幅を有する。
【００３５】
更なる態様によれば、前の態様のいずれかにおいて、本方法は更に、選択された少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む。
【００３６】
更なる態様によれば、前の態様のいずれかにおいて、本方法は更に、選択された少なくとも１つのサブバンドの複数のサブバンド部分から少なくとも１つのサブバンド部分を選択するためのサブバンド部分選択フィールドを受信するステップと、選択された少なくとも１つのサブバンド部分である特定の帯域幅におけるリソースブロック又はリソースブロックグループの割振りを示すためのリソースブロック割振りフィールドを受信するステップと、を含む。
【００３７】
更なる態様によれば、前の態様のいずれかにおいて、本方法は更に、第１のペイロードを伴う第１のＵＥには第１のリソースブロック割振りフィールドを用い、第２のペイロードを伴う第２のＵＥには第２のリソースブロック割振りフィールドを用いるステップ、を含む。第１のリソースブロック割振りフィールドは第２のリソースブロック割振りフィールドよりも小さい。
【００３８】
本発明の更に別の態様によれば、ニューメロロジに割り当てられた少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む方法が提供される。
【図面の簡単な説明】
【００３９】
添付図面を参照して、本開示の実施形態を説明する。
【００４０】
【図１】経時変化し得るシステム帯域幅内の異なるニューメロロジの共存の例を示す。
【図２】システム帯域幅をどのように固定サイズの帯域幅部分に分解できるかの例を示す。
【図３】分散された帯域幅部分をどのようにしてニューメロロジに割り当てることができるかの例を示す。
【図４Ａ】不等な帯域幅部分の例示的パターンを示す。
【図４Ｂ】不等な帯域幅部分の例示的パターンを示す。
【図５Ａ】サブバンド選択フィールド及びＲＢ割振りフィールドを含むシグナリングメッセージの例示的構造を示す。
【図５Ｂ】例えば図５Ａのメッセージ構造を用いた、サブバンドの選択を示す例を示す
【図５Ｃ】例えば図５Ａのメッセージ構造を用いた、サブバンドの選択を示す例を示す。
【図５Ｄ】帯域幅部分選択フィールド及びＲＢ割振りフィールドを含むシグナリングメッセージの例示的構造を示す。
【図５Ｅ】例えば図５Ｄのメッセージ構造を用いた、帯域幅部分の選択を示す例を示す。
【図５Ｆ】例えば図５Ｄのメッセージ構造を用いた、帯域幅部分の選択を示す例を示す。
【図５Ｇ】例えば図５Ｄのメッセージ構造を用いた、帯域幅部分の選択を示す例を示す。
【図６Ａ】帯域幅部分をどのようにしてサブバンド部分に分解できるかの例を示す。
【図６Ｂ】帯域幅部分選択フィールド、サブバンド部分選択フィールド及びＲＢ割振りフィールドを含むシグナリングメッセージの例示的構造を示す。
【図６Ｃ】サブバンド選択フィールド、サブバンド部分選択フィールド及びＲＢ割振りフィールドを含むシグナリングメッセージの例示的構造を示す。
【図７Ａ】記載のＲＢ割振りを用いて割り振られるリソースブロックを送信することのできる送信器の簡易ブロック図を示す。
【図７Ｂ】記載のＲＢ割振りを用いて割り振られるリソースブロックを受信することのできる受信器の簡易ブロック図を示す。
【図８Ａ】周波数リソースをニューメロロジに割当て、リソースブロックをＵＥに割り振る方法のフローチャートである。
【図８Ｂ】周波数リソースをニューメロロジに割当て、リソースブロックをＵＥに割り振る方法のフローチャートである。
【図８Ｃ】周波数リソースをニューメロロジに割当て、リソースブロックをＵＥに割り振る方法のフローチャートである。
【図８Ｄ】周波数リソースをニューメロロジに割当て、リソースブロックをＵＥに割り振る方法のフローチャートである。
【図８Ｅ】周波数リソースをニューメロロジに割当て、リソースブロックをＵＥに割り振る方法のフローチャートである。
【図８Ｆ】周波数リソースをニューメロロジに割当て、リソースブロックをＵＥに割り振る方法のフローチャートである。
【図９】様々なシグナリングスキームについてオーバヘッドを比較するチャートである。
【発明を実施するための形態】
【００４１】
ＬＴＥネットワークによって採用される固定のサブキャリア間隔は、例えば非常に高速のモビリティシナリオ（例えば最高５００ｋｍ／ｈ）（これにより、ドップラ周波数シフトが増大する可能性がある）において、或いは１０ＧＨｚ帯域のような高い無線周波数帯域が使用されるシナリオ（位相雑音が大きな周波数シフトにつながる可能性がある）において、無線ネットワークにおいてアプリケーションを制限することがある。そのような場合、固定の１５ｋＨｚサブキャリア間隔は、周波数領域におけるドップラ作用を受け入れるのに十分なほど広くない場合がある。一方、マシン型通信（ＭＴＣ）又はデバイス間（Ｄ２Ｄ）通信を採用する低コストのデバイスは、カバレッジを向上させエネルギーを節約するために、より狭い周波数帯域幅を用いることができる。このような場合、サブキャリア間隔は、ＬＴＥなどのネットワークで用いられる間隔よりも狭くすることができる。加えて、ＬＴＥは、送信時間間隔（ＴＴＩ）が短く、より広いサブキャリア間隔を必要とする、非常に低い遅延を必要とするトラフィックをサポートすることができない場合がある。例えば、低遅延のトラフィックには、６０ｋＨｚ又は３０ｋＨｚのサブキャリア間隔がより良好に適することがある。
【００４２】
異なるニューメロロジの使用に関して柔軟性のあるフレーム構造が提案されている。ニューメロロジはサブキャリア間隔とＯＦＤＭシンボル持続時間の観点から定義され、また、逆高速フーリエ変換（ＩＦＦＴ）長さ、ＴＴＩ長さ、サイクリックプレフィックス（ＣＰ）長さ若しくは持続時間などの他のパラメータによって定義することもできる。このようなニューメロロジは、異なるニューメロロジの間のようにサブキャリア間隔が互いの倍数であり、ＴＴＩの長さもまた異なるニューメロロジの間のように互いの倍数であるという意味で、スケーラブルで有り得る。このような複数のニューメロロジにまたがるスケーラブルな設計は、例えば時分割複信（ＴＤＤ）コンテキストにおけるスケーラブルな全ＯＦＤＭシンボル持続時間といった、実施利益を提供する。参照によりその全体が本明細書に組み込まれる、出願人の同時係属の米国仮出願第６２／１６９，３４２号（Liqing  Zhangら、名称“System  and  Scheme  of  Scalable  OFDM  Numerology”）も参照されたい。これは、スケーラブルなニューメロロジを用いたシステム及び方法を提供する。
【００４３】
以下の表１は、「フレーム構造」の下の４つの列にスケーラブルなニューメロロジを有する柔軟なフレーム構造設計の例を含む。フレームは、スケーラブルな４つのニューメロロジの１つ又は組み合わせを用いて構築することができる。比較のために、表の右側の列には、従来の固定ＬＴＥニューメロロジが示される。表１において、各ニューメロロジは、第１のＯＦＤＭシンボル数には第１のサイクリックプレフィックス長を、第２のＯＦＤＭシンボル数には第２のサイクリックプレフィックス長を用いる。例えば、「フレーム構造」の下の第１列において、ＴＴＩは、サイクリックプレフィックス長が１．０４ｕｓである３つのシンボルと、その後にサイクリックプレフィックス長が１．３ｕｓである４つのシンボルとを含む。
【００４４】
第１列は、最短のＯＦＤＭシンボル持続時間も有する６０ｋＨｚサブキャリア間隔のニューメロロジに関する。これは、Vehicle-to-Any（Ｖ２Ｘ）通信や産業用無線制御アプリケーションなどの超低遅延通信に適することがある。第２列は、３０ｋＨｚサブキャリア間隔のニューメロロジに関する。第３列は、１５ｋＨｚサブキャリア間隔のニューメロロジに関する。このニューメロロジは、ＴＴＩ内に７つのシンボルしか存在しないことを除いて、ＬＴＥと同じ構成を有する。これは、ブロードバンドサービスに適することがある。第４列は、７．５ｋＨｚ間隔を伴い、４つのニューメロロジの中で最も長いＯＦＤＭシンボル持続時間も有するニューメロロジに関する。これは、カバレッジの向上とブロードキャストに役立つことがある。列挙された４つのニューメロロジのうち、３０ｋＨｚと６０ｋＨｚのサブキャリア間隔を有するものは、サブキャリア間隔がより広いので、ドップラースプレッド（速い移動条件）に対してよりロバストである。
【表１】
2019504590.tif 000033
【００４５】
理解されるべきこととして、表１の例の具体的なニューメロロジは説明のためのものであり、他のニューメロロジを組み合わせたフレキシブルなフレーム構造を代替として用いることができる。
【００４６】
複数のニューメロロジが同時に共存する信号を送信するために、ＯＦＤＭベースの信号を採用することができる。更に具体的には、複数のサブバンドＯＦＤＭ信号をそれぞれ異なるサブバンド内において同時に生成することができ、各サブバンドは異なるサブキャリア間隔を有する（より一般には、異なるニューメロロジで）。複数のサブバンド信号は、送信（例えばダウンリンク送信）のために単一の信号に結合される。或いは、例えば複数のユーザ装置（ＵＥ）からのアップリンク送信のために、複数のサブバンド信号が別個の送信器から送信されてよい。特定の例では、フィルタリングされたＯＦＤＭ（ｆ−ＯＦＤＭ）を採用することができる。ｆ−ＯＦＤＭでは、フィルタリングを用いて各サブバンドＯＦＤＭ信号のスペクトルを整形し、それからサブバンドＯＦＤＭ信号が伝送のために合成される。ｆ−ＯＦＤＭは、帯域外放射を低減し、伝送を改善し、異なるサブキャリア間隔の使用の結果としてもたらされる非直交性に対処する。
【００４７】
一部の実施形態では、リソースブロックの定義は設定可能である。例えば、ＲＢあたりのトーン数は時間及び／又はシステム帯域幅にわたって変化することができる。例えば、参照によりその全体が本明細書に組み込まれる、出願人の同時係属の米国出願第１４／９５２，９８３号（２０１５年１１月２６日出願、名称“Resource  Block  Chanelization  for  OFDM-based  Numerologies”）を参照されたい。
【００４８】
トラフィックタイプに依存して、所与のＵＥのトラフィックは、利用可能な帯域幅の小さい（例えばＶｏＩＰパケット）又は大きい部分（例えばビデオストリーミング）のみを占用してよい。利用可能な帯域幅の著しく異なるサイズの部分を占有するＵＥのために、同じＲＢ割振りビットマップを用いることは、非効率的である。本発明の一部の実施形態によれば、異なるＵＥが異なるペイロードサイズを有するという事実を考慮することにより、ＲＢ割振りビットマップのサイズを低減することができる。
【００４９】
本発明の第１の実施形態セットは、システム帯域幅（例えば２０ＭＨｚ）をサブバンドに分解し、サブバンドの１つ以上をニューメロロジに割り当てる方法を提供する。複数のサブバンドがニューメロロジに割り当てられるとき、それらは連続しても分散してもよい。第２の実施形態セットは、特定の帯域幅（例えば第１の実施形態セットのうちの１つによって指定された帯域幅）内で、リソースブロックを効率的に割り振る方法を提供する。
【００５０】
本明細書で用いられるように、サブバンドは、ニューメロロジに割り当てられる連続的な範囲の帯域幅である。典型的には、各サブバンドに対して個々のスペクトル整形フィルタが用いられる。これは、以下に導入される帯域幅部分又はサブバンド部分などの部分と対比されるものであり、それ自体はスペクトル整形要件に関係しない。例えばシステム帯域幅全体が単一のスペクトル整形フィルタ内にあるとき、システム帯域幅は帯域幅部分に分割することができる。帯域幅部分は、スペクトル整形要件に関係しない。１つ以上の帯域幅部分の連続したセットを用いて、サブバンドを定義することができる。同様に、サブバンドは１つ以上のサブバンド部分に分割することができる。サブバンド部分もスペクトル整形要件に関係しないが、むしろ、ＲＢ割振りのためのサブバンド内のスペクトルの割振りのために、ブロックを構築する機能を果たす。サブバンド内のサブバンド部分は、サブバンドに関連付けられた共通のニューメロロジを共有する。
【００５１】
ニューメロロジに対するサブバンドの割当ては経時変化する可能性があり、一部の実施形態ではこの割振りは静的又は準静的であるが、設定可能である。ニューメロロジに割り振られるサブバンドのサイズ及び数は、トラフィックタイプと、サービスされるユーザの数と、対応するペイロードとに依存してよい。柔軟なサブバンド割当ての更なる利点は、同じキャリア内の複数のサービスの独立した共存をサポートする、将来性のある設計を可能にすることである。
【００５２】
図１では、経時変化するニューメロロジに対するサブバンドの割当ての例が、周波数を縦軸、時間を横軸として示される。第１の期間９０の間、利用可能な帯域幅は、４つのＯＦＤＭサブバンド１００，１０２，１０４，１０６の間で分割される。サブバンド１００では、７．５ｋＨｚサブキャリア間隔のニューメロロジが用いられる。サブバンド１０２では、１５ｋＨｚサブキャリア間隔のニューメロロジが用いられる。サブバンド１０４では、３０ｋＨｚサブキャリア間隔のニューメロロジが用いられる。サブバンド１０６では、６０ｋＨｚサブキャリア間隔のニューメロロジが用いられる。帯域幅の分割は、時間ｔ１で新しい分割が割り当てられるように変化する。第２の期間９２の間、利用可能な帯域幅は２つのＯＦＤＭサブバンド１０８，１１０の間で分割される。サブバンド１０８では、７．５ｋＨｚサブキャリア間隔のニューメロロジが用いられる。サブバンド１１０では、１５ｋＨｚのサブキャリア間隔のニューメロロジが用いられる。図１の例では、各ニューメロロジに単一のサブバンドが割り当てられる。一部の実施形態では、複数の分散したサブバンドをニューメロロジに割り当てることができる。
【００５３】
ニューメロロジ割当てとニューメロロジに対するサブバンド帯域幅割当て
一部の実施形態では、特定のＵＥとの通信に用いられるニューメロロジは予め設定され、信号伝達される必要はない。他の実施形態では、ＵＥは複数のニューメロロジをサポートし、ネットワーク（通常は基地局）がニューメロロジの用いるＵＥに信号を送信する。
【００５４】
本発明の実施形態は、上述のサブバンドと呼ばれる利用可能なシステム帯域幅の部分をニューメロロジに柔軟に割り当て、この割当てをＵＥに伝えるメカニズムを提供する。
【００５５】
一部の実施形態では、上位レイヤ無線リソース制御（ＲＲＣ）シグナリングは、ニューメロロジ割当てと、割り当てられたニューメロロジに対するサブバンド帯域幅割当てとの一方又は両方に用いられる。これは、例えば、割当てを動的に変更することが望ましくない場合は、適切で有り得る。このアプローチでは、オーバヘッドが比較的低い。一部の実施形態では、例えば動的制御チャネル上の動的シグナリングが、ニューメロロジ割当てと、割り当てられたニューメロロジに対するサブバンド帯域幅割当てとの一方又は両方に用いられる。このアプローチは、例えば割当てを素早く動的に変更できるようにする必要がある場合に、適切であろう。このアプローチでは、オーバヘッドが比較的高い。
【００５６】
一部の実施形態では、サブバンド割当てを目的として、システム帯域幅は、固定の等しいサイズの帯域幅部分のセットに分解される。図２に一例が示される（一般に２００に示される）。利用可能な帯域幅がＬ個の同じサイズの帯域幅部分に分割されていることが示されている。そして該部分は、ニューメロロジに対する割振りに利用可能である。
【００５７】
一部の実施形態では、Ｌ個の帯域幅部分のセットを定義することにより、所与のニューメロロジに対する帯域幅部分の完全に柔軟な割当てがサポートされる。すなわち、１つ以上の帯域幅部分の任意の組合わせを、所与のニューメロロジに割り当てることができる。この場合、所与のニューメロロジに割り当てられる帯域幅部分は、分散していても連続していてもよい。ニューメロロジに対する帯域幅部分の任意の組合わせの割当てを伝えるために、Ｌビットのシグナリングを用いることができる。分散された部分のセットがニューメロロジに割り当てられる場合、帯域幅部分の各別個の部分又はグループがそれぞれのサブバンドであり、各サブバンドに対して別々のＯＦＤＭ処理が必要である。このアプローチの一例は図３に示される（一般に２０２に示される）。１００ＭＨｚの帯域幅が、それぞれ２０ＭＨｚのＬ＝５個の帯域幅部分に分割され、特定のニューメロロジに帯域幅部分１，５が割り振られる。この場合、２つの帯域幅部分のそれぞれに対して、別々のＯＦＤＭ処理が必要である。５つのシグナリングビットを用いて、５つの帯域幅部分の任意の組合わせのニューメロロジに対する割当てを伝えることができる。例えば“１０００１”は、ニューメロロジに対する第１の帯域幅部分及び第５の帯域幅部分の割当てを伝えることができる。残りの帯域幅部分は、１つ以上の他のニューメロロジに割り当てられてよい。
【００５８】
一部の実施形態では、所与のニューメロロジに対する帯域幅部分の連続割当てがサポートされる。この場合、利用可能な帯域幅はＬ個の帯域幅部分に分割され、１つ以上の連続する帯域幅部分のセットが第１のニューメロロジに割り当てられる。残りの帯域幅部分は、他のニューメロロジに割り当てられてよい。この場合、連続する帯域幅部分のセットを特定することに特有のシグナリングスキームを採用することができ、これは上述の完全に柔軟なスキームよりも効率的である。具体的な例では、log2(L(L+1))-1ビットのシグナリングは、ニューメロロジに対する帯域幅部分の隣接グループの割当てを伝えるのに十分である。ここで、サブバンド分割のビットマップは、利用可能な帯域幅部分の数よりも小さい。例えば、図３に示される５つの部分のうち３つの隣接部分｛２  ３  ４｝の割振りは、全ての可能なlog2(5(5+1))-1個の選択肢からの１つの選択肢であり、４ビットのビットマップを採用することができる。可能な連続選択の例：｛１２３４５，１２３４，１２３，１２，１，２３４５，２３４，２３，２，３４５，３４，３，４５，４，５｝。具体的な例では、この可能な連続選択のセットは、０００１から始まる４ｂｉｔビットマップにマッピングされ、その結果、０１１０は｛２  ３  ４｝のシーケンスを示すために用いることができる。
【００５９】
このアプローチの一例が図３に示される。１００ＭＨｚの帯域幅が、それぞれ２０ＭＨｚのＬ＝５個の帯域幅部分に分割され、連続する帯域幅部分２，３，４が特定のニューメロロジに割り振られる。
この場合、３つの連続する帯域幅部分２，３，４は、共通のフィルタ又はスペクトルマスクで処理することができる。
【００６０】
一部の実施形態では、帯域幅部分の完全に柔軟な割当てのためのシグナリングスキームと、帯域幅部分の連続する群の割当てのためのシグナリングスキームの両方がサポートされる。
【００６１】
Ｌの選択は、柔軟性とオーバヘッドとのトレードオフである。Ｌの値が大きいほど、オーバヘッドの増大を犠牲にして柔軟性が増大する。しかしながら、このシグナリングは準静的におこなうことができる。その場合、シグナリングが全てのＴＴＩ制御信号に挿入されるより動的なシグナリングに比べて、より大きなＬのオーバヘッドの影響が低減される。
【００６２】
別の実施形態，では、利用可能な帯域幅は、事前定義されたパラメータのセットの１つに従って、帯域幅部分（等しくても等しくなくてもよい）のセットに分割される。各パターンは、利用可能な帯域幅の、様々なサイズの帯域幅部分の事前定義されたセットへの分割を定義する。これらのパターンは、異なるニューメロロジによって提供されるトラフィック統計に基づいて確立することができる。例えば、１つ以上の小さめの帯域幅部分及び１つ以上の大きめの帯域幅部分を有するパターンを定義することができる。小さめの帯域幅部分は、（ＭＴＣ）トラフィック（短いパケット）などのより小さなペイロードトラフィックのために、適切なニューメロロジに割り当てることができる。大きめの帯域幅部分は、モバイルブロードバンド（ＭＢＢ）などのより大きなペイロードトラフィックのために、適切なニューメロロジに割り当てることができる。所与のパターンに対する小さめの帯域幅部分の数と大きめの帯域幅部分の数は、小さめのペイロードトラフィックと大きめのペイロードトラフィックとの間のトラフィックにおける所望の又は予想されるバランスに対応するように選択することができる。
【００６３】
異なるシステム帯域幅の選択、例えば１０，２０，１００ＭＨｚなどで、同じ又は異なるパターンを用いることができる。
【００６４】
図４Ａに第１の例示的パターン２０４が示される。利用可能な帯域幅は、サイズｘ、２ｘ、５ｘ、２ｘ及びｘの５つの帯域幅部分に分割されている。ｘは最も小さい部分のサイズである。
【００６５】
図４Ｂには第２の例示的パターン２０６が示されており、利用可能な帯域幅がサイズ６ｘと５ｘの２つの部分に分割されている。
【００６６】
Ｄ個の事前定義されたパラメータが存在する場合、log2Dビットを用いて、該パターンのうち特定の１つの識別情報を信号送信することができる。
【００６７】
帯域幅部分のＤ個の事前定義されたパラメータのセットを定義したならば、上記の２つの帯域幅部分割当てスキームのいずれかを用いて、所与のニューメロロジに対して帯域幅部分割当てを伝えることができる。例えば、log2D+Lビットを用いて、特定のパターンを識別し、Ｌ個の帯域幅部分の任意の組合わせをニューメロロジに割り当てることができる。或いは、log2D+log2(L(L+1))-1ビットを用いて、特定のパターンを識別し、帯域幅部分の連続セットをニューメロロジに割り当てることができる。この方法は、上述の等サイズ帯域幅部分ベースのアプローチと比較して、より少ない信号を必要とすることがある。
【００６８】
特定の例では、図４Ａのパターン２０４については、サイズｘの帯域幅のエッジの２つの部分が、ＭＴＣトラフィックに適したニューメロロジに割り当てられてよく、残りのサイズ２ｘ、５ｘ、２ｘの部分は、ＭＢＢトラフィックに適したニューメロロジに割り当てられてよい。
【００６９】
ＲＢ割振りのシステム及び方法
ＲＢ割振りは、どのリソースブロックがどのＵＥのためのトラフィックに用いられるかを定義し、それらのリソースブロックを示すシグナリングをＵＥに送信するプロセスである。
【００７０】
前述したように、ＬＴＥでは、ＲＢ割振りビットマップは、割り振られたシステム帯域幅に対して固定サイズを有する。同じ固定サイズのビットマップを用いて、小さなペイロードトラフィック（例えば１〜２個のＲＢ）と大きなペイロードトラフィック（例えば２０〜３０個のＲＢ）が割り当てられる。この従来の固定サイズのビットマップアプローチは、帯域幅内の任意の場所でリソースブロックグループ（ＲＢＧ）又はＲＢをスケジューリングするための最大限の柔軟性を提供し、可能な限り最良の周波数多様性を可能にする。
【００７１】
しかしながら、多くの場合、最良の可能な周波数多様性は要求されず、且つ／又は、チャネルは中程度の周波数選択性しかない場合があり、且つ／又は、ＵＥは、利用可能な帯域幅のごく一部だけにスケジューリングされる必要がある場合がある。所与のＵＥは、利用可能な帯域幅の全てにわたってスケジューリングされる必要はない場合がある。
【００７２】
一部の実施形態では、所与のニューメロロジに対して１つ以上のサブバンドがまとめて割り当てられる。割り当てられるサブバンドは、連続であっても不連続であってもよい。ニューメロロジへのサブバンドの割当ては、例えば上述のアプローチの１つを用いて、ＵＥにシグナリングされてよい。加えて、所与のＵＥのためのニューメロロジは、前述のように、予め定義されるか、或いは以前にシグナリングされるかのいずれかである。一部の実施形態では、サブバンドを割り当てるのではなく、１つ以上の帯域幅部分のセットをニューメロロジに割り当てることができる。帯域幅部分は、前述の帯域幅部分方法論、或いは何らかの他の方法を用いて、割り当てることができる。以下、図５Ａ〜５Ｅを参照して、サブバンド割当てアプローチ及び帯域幅分割割当てアプローチを更に詳述する。
【００７３】
ＲＢ割振りについて、一部の実施形態では、帯域幅部分選択フィールドは、ニューメロロジに割り当てられたどの帯域幅部分が所与のＵＥのために用いられるのかを示すために用いられる。一部の実施形態では、帯域幅部分選択フィールドを用いる代わりに、サブバンド選択フィールドは、どのニューメロロジに割り当てられたどのサブバンドが所与のＵＥのために用いられるのかを示すために用いられる。いずれの場合も、ＲＢ割振りフィールドは、指定された帯域幅内のＲＢ割振りを示す。一部の実施形態では、両方のアプローチがサポートされ、ＵＥ単位で適用することができる。帯域幅部分選択フィールド及びサブバンド選択アプローチについては、図６Ａ〜６Ｃを参照して以下に更に詳細に説明する。
【００７４】
サブバンドの選択
図５Ａを参照すると、メッセージの一例は、ＲＢ割振りをＵＥに伝えるために、サブバンド選択フィールド５０２とＲＢ割振りフィールド５０４の２つのフィールドを含む。ここで図５Ｂを参照すると、ＭＴＣトラフィックのための７．５ＫＨｚサブキャリア間隔を有するニューメロロジに、利用可能な帯域幅のエッジに２つのサブバンド５１１，５１３が割り当てられる例が示されている。ＵＥが両方のサブバンド５１１，５１３で受信できるようにするためには、別個のＯＦＤＭ処理が必要であり、これはＵＥにとって犠牲が大きくなり得る。より具体的には、他のユーザ及び／又はニューメロロジに対するサブバンドの割振りがある可能性があるの、エッジ上の割り当てられたサブバンド間で、ＵＥは、各サブバンドを含む帯域幅の一部を別個にフィルタリングする必要がある。
【００７５】
図５Ｂの例では、第１のサブバンド５１１が選択され、第２のサブバンド５１３が選択されないことを示す「１０」に設定された２ビットフィールドの形で、サブバンド選択フィールドを用いることができる。これは、ＲＢが第１のサブバンド５１１内において特定のＵＥに割り当てられることを意味する。
【００７６】
ここで図５Ｃを参照すると、ＭＴＣトラフィックのための７．５ＫＨｚサブキャリア間隔を有するニューメロロジが第１のサブバンド５２８と第２のサブバンド５３０に割り当てられる例が示されている。第１のサブバンド５２８が選択され、第２のサブバンド５３０が選択されないことを示す「１０」に設定された２ビットフィールドの形で、サブバンド選択フィールドを用いることができる。これは、ＲＢが第２のサブバンド内において特定のＵＥに割り当てられることを意味する。
【００７７】
理解されるべきこととして、サブバンド部分選択フィールドは、記述された特定のフォーマットに限定されず、各サブバンドはそれぞれのビットを有する。図５Ｂに戻り、最大の柔軟性を得るために、上述したような２ビットフィールドを用いて、所与のＵＥが一方又は両方のサブバンドにわたってスケジューリングされるか否かを示すことができる。シグナリングオーバヘッドを低減するために、単一のビットフィールドを用いて、２つのサブバンドのどちらにＵＥがスケジューリングされているかを示すことができる。
【００７８】
帯域幅部分の選択
図５Ｄを参照すると、ＵＥにＲＢ割振りを伝えるために、帯域幅部分選択フィールド５０８及びＲＢ割振りフィールド５１０を有するメッセージの第２の例が示されている。
【００７９】
ここで図５Ｅを参照すると、ＭＴＣトラフィックのための７．５ＫＨｚのサブキャリア間隔を有するニューメロロジに、利用可能な帯域幅のエッジの２つの帯域幅部分が割り当てられる例が示されている。
【００８０】
この例では、帯域幅部分選択フィールドは、ＭＴＣトラフィックのためのニューメロロジ、すなわち特定のＵＥが割り当てられたニューメロロジに割り当てられた帯域幅部分のサブセットを示す。この例では、帯域幅部分選択フィールドは「１０」に設定された２ビットのフィールドであり、第１の帯域幅部分が選択され、第２の帯域幅部分が選択されていないことを示す。これは、ＲＢが第１の帯域幅部分内において特定のＵＥに割り当てられることを意味する。
【００８１】
ここで図５Ｆを参照すると、ＭＴＣトラフィックのための７．５ＫＨｚサブキャリア間隔を有するニューメロロジが、３つの連続帯域幅部分５２０，５２２，５２４及び非連続帯域幅部分５２６のセットに割り当てられる例が示されている。代替として、ニューメロロジには第１のサブバンド５２８及び第２のサブバンド５３０が割り当てられる。この例では、帯域幅部分選択フィールドは、ＭＴＣトラフィックのためのニューメロロジ、すなわち特定のＵＥが割り当てられたニューメロロジに割り当てられる帯域幅部分のサブセットを示す。この例では、帯域幅部分選択フィールドは「１１１０」に設定された４ビットのフィールドであり、第１、第２及び第３の帯域幅部分５２０，５２２，５２４が選択され、第４の帯域幅部分５２６が選択されていないことを示す。これは、ＲＢが第１、第２及び第３の帯域幅部分内で特定のＵＥに割り当てられることを意味する。
【００８２】
帯域幅部分選択の別の例が図５Ｇに示されており、同じ帯域幅部分割当て図５Ｆが採用される。この場合、帯域幅部分選択フィールドは「１１００」に設定された４ビットのフィールドであり、第１及び第２の帯域幅部分５２０，５２２が選択され、第３及び第４の帯域幅部分５２４，５２６が選択されていないことを示す。これは、ＲＢが第１及び第２の帯域幅部分内において特定のＵＥに割り当てられることを意味する。
【００８３】
理解されるべきこととして、帯域幅部分選択フィールドは、各帯域幅部分がそれぞれのビットを有する上述の特定のフォーマットに限定されない。図５Ｅの例に戻ると、最大の柔軟性を得るために、上述の２ビットフィールドは、所与のＵＥが一方又は両方の帯域幅部分にわたってスケジューリングされるか否かを示すために用いることができる。低減された柔軟性のために、単一のビットフィールドを用いて、２つのサブバンドのどちらにＵＥがスケジューリングされているかを示すことができる。
【００８４】
サブバンド部分の選択
一部の実施形態では、周波数リソース、例えば前述の帯域幅部分選択フィールドで選択された帯域幅部分や、前述のサブバンド選択フィールドで選択されたサブバンドは、サブバンド部分に分割される。これは、前述の実施形態における、利用可能な帯域幅がどのように帯域幅部分に分割されるのかと同様である。選択された帯域幅部分又はサブバンドは、Ｋ個のサブバンド部分に分割されてよい。Ｋは、スケジューリングの柔軟性とオーバヘッドとの間のトレードオフを表す設計パラメータである。Ｋの選択は、ニューメロロジの下でサービスを受けるＵＥのタイプによって影響され得る。図６Ａには、周波数リソース６００がＫ個のサブバンド部分Ｂ１，Ｂ２，…，ＢＫに分割される例が示される。サブバンド部分選択フィールドは、Ｋ個のサブバンド部分のうちの１つ以上を選択する。Ｋ個のサブバンド部分の任意の組合わせの任意の選択をサポートするには、Ｋビットが必要とされるが、Ｋ個のサブバンド部分の連続する組合わせを選択するには、log2(K(K+1))-1ビットを用いることができる。
【００８５】
図６Ｂにはメッセージフォーマット６０２の一例が示され、ＵＥにＲＢ割振りを伝えるために用いられる３つのフィールドを示す。第１のフィールドは、前述の帯域幅部分選択フィールドである。第２のフィールドは、選択された帯域幅部分内のサブバンド部分の１つ以上を示すサブバンド部分選択フィールドである。第３のフィールドは、ＲＢ割振りフィールドであり、サブバンド部分選択フィールドによって選択されたサブバンド部分にリソースブロックを割り振る。
【００８６】
図６Ｃには、メッセージフォーマット６０４の別の例が示される。第１のフィールドは、前述のサブバンド選択フィールドである。第２のフィールドは、選択された帯域幅部分内のサブバンド部分の１つ以上を示すサブバンド部分選択フィールドである。第３のフィールドは、ＲＢ割振りフィールドであり、サブバンド部分選択フィールドによって選択されたサブバンド部分にリソースブロックを割り振る。
【００８７】
一部の実施形態では、帯域幅部分選択フィールドは、ニューメロロジに割り当てられたどの帯域幅部分が所与のＵＥのために用いられるのかを示すのに用いられる。或いは、一部の実施形態では、サブバンド選択フィールドは、ニューメロロジに割り当てられたどのサブバンドが所与のＵＥのために用いられるのかを示すのに用いられる。いずれの場合も、ＲＢ割振りフィールドは、特定の帯域幅内においてＲＢ割振りを示す。
【００８８】
一部の実施形態では、リソースの分割は、論理サブバンド部分を用いて論理的に実行される。つまり、各論理サブバンド部分は、物理的に連続した、又は非連続な物理サブバンド部分に関連付けることができる。サブバンド帯域幅の論理分割は、効率的なリソース割振りのために、特に中程度からより大きい帯域幅について、構成することができる。物理的に不連続なサブバンド部分のセットの割当ては、論理部分の連続したセットを割り振ることによっておこなうことができる。例えば、論理部分１，２，３，４，５，６，７，８は、物理部分１，３，５，７，２，４，６，８と関連付けられてよい。この場合、連続する論理部分１〜４のセットを割り当てることにより、不連続な物理部分１，３，５，７が割り当てられることになる。
【００８９】
ここで図７Ａを参照すると、上述したように割り振られたリソースブロックの送信に用いることのできる送信器の一部の例示的な簡易ブロック図が示されている。この例では、Ｌ個のサポートされたニューメロロジが存在する。Ｌ＞＝２である。
【００９０】
各ニューメロロジについて、それぞれの送信チェーン４００，４０２が存在する。図７Ａは、第１及び第Ｌのニューメロロジの単純化された機能を示す。他のニューメロロジの機能は同様である。また、図７Ｂには、第１のニューメロロジを用いて動作する受信器の受信チェーン４２９の簡略化された機能が示されている。
【００９１】
第１のニューメロロジの送信チェーン４００は、コンスタレーションマッピング部４１０、サブキャリアマッピング・グルーピング部４１１、サブキャリア間隔ＳＣ１を伴うＩＦＦＴ４１２、パイロットシンボル（Ｐ／Ｓ）及びサイクリックプレフィックス挿入部４１４、及びスペクトル整形フィルタ４１６を含む。動作時、コンスタレーションマッピング部４１０は、Ｋ１個のユーザのユーザデータ（より一般には、データ及び／又はシグナリングを含むユーザコンテンツ）を受信する。Ｋ１＞＝１である。コンスタレーションマッピング部４１０は、Ｋ１個のユーザの各々のためのユーザデータをコンスタレーションシンボルのそれぞれのストリームにマッピングし、コンスタレーションシンボル４２０のストリームを出力する。シンボル当たりのユーザビット数は、コンスタレーションマッピング部４１０によって採用される特定のコンスタレーションに依存する。４直交振幅変調（４−ＱＡＭ）の例では、各ユーザからの２ビットがそれぞれのＱＡＭシンボルにマッピングされる。
【００９２】
ＯＦＤＭシンボル期間ごとに、サブキャリアマッピング・グルーピング部４１１は、コンスタレーションマッピング部４１０によって生成されたコンスタレーションシンボルをグループ化し、４２２において、ＩＦＦＴ４１２の最大Ｐ個の入力にマッピングする。グループ化及びマッピングは、スケジューラ情報（チャネル化及びリソースブロック割当てに基づく）に基づいて、送信チェーン４００で処理されているＫ１個のユーザのコンテンツに対する定義されたリソースブロック定義及び割振りに従って、実行される。Ｐは、ＩＦＦＴ４１２のサイズである。Ｐ個の入力の全てが必ずしも各ＯＦＤＭシンボル期間に用いられるわけではない。ＩＦＦＴ４１２は、最大Ｐ個のシンボルまで受信し、４２４においてＰ個の時間領域サンプルを出力する。これに続いて、いくつかの実施では、時間領域パイロットシンボルが挿入され、ブロック４１４においてサイクリックプレフィックスが追加される。スペクトル整形フィルタ４１６は、送信チェーン４００の出力におけるスペクトルを制限するフィルタｆ１（ｎ）を適用して、送信チェーン４０２などの他の送信チェーンの出力との干渉を防止する。また、スペクトル整形フィルタ４１６は、各サブバンドの割り当てられた周波数位置へのシフトを実行する。
【００９３】
送信チェーン４０２などの他の送信チェーンの機能は同様である。全ての送信チェーンの出力は、チャネルでの伝送前に結合部４０４で結合され
【００９４】
また、例えば本明細書に記載の方法の１つを用いて帯域幅割当てを実行する帯域幅部分割当て部４２６も示されている。帯域幅割当て部４２６の出力は、サブキャリアマッピング・グルーピング部４１１及びスペクトル整形フィルタ４１６に渡される。加えて、帯域幅部分割当りを搬送する信号が、チャネル上での伝送の前に結合部４０４に伝えられる。
【００９５】
また、例えば本明細書に記載の方法の１つを用いてＲＢ割振りを実行するＲＢ割振り部４２８も示される。リソースブロック割振り部の出力は、サブキャリアマッピング・グルーピング部４１１に渡される。加えて、ＲＢ割振りを搬送する信号が、チャネル上での伝送の前に結合部４０４に伝えられる。
【００９６】
図７Ｂは、４２９に示される第１のニューメロロジで動作するＵＥの受信チェーンの簡易ブロック図を示す。一部の実施形態では、所与のユーザ装置は、特定のニューメロロジで動作するように永続的に構成される。一部の実施形態では、所与のＵＥは構成可能なニューメロロジで動作する。いずれの場合でも、柔軟なリソースブロック定義がＵＥによってサポートされる。受信チェーン４２９は、スペクトル整形フィルタ４３０、サイクリックプレフィックス削除部及びパイロットシンボルプロセッサ４３２、高速フーリエ変換（ＦＦＴ）４３４、サブキャリアでマッピング部４３６及びイコライザ４３８を含む。受信チェーンの各要素は、送信チェーンで実行されたものと対応する逆動作を実行する。別のニューメロロジで動作しているＵＥの受信チェーンも同様である。
【００９７】
図７Ａのサブキャリアマッピング・グルーピングブロック４１１は、リソースブロック定義及びスケジューリングに基づいて、コンスタレーションシンボルをグループ化及びマッピングする。所与のユーザに関するリソースブロック定義が確立されると、ＲＢ割振り又はスケジューリングは、いつどの周波数でユーザのリソースブロックが送信されるかを決定するのに用いられる。ここでは、ＲＢ割振りについて既に説明した方法のいずれかを用いることができる。
【００９８】
また、例えば本明細書に記載の方法の１つを用いて、無線を介して受信された帯域幅割当てを含む信号を処理する帯域幅部分プロセッサ４６０が示される。帯域幅部分プロセッサ４６０の出力は、スペクトル整形フィルタ４３０及びサブキャリアデマッピング部４３６に渡される。
【００９９】
また、例えば本明細書に記載の方法の１つを用いて、無線を介して受信されたＲＢ割当てを含む信号を処理するＲＢ割振りプロセッサ４６０が示される。ＲＢ割振りプロセッサ４６０の出力は、サブキャリアデマッピング部４３６に渡される。
【０１００】
上述の実施形態の１つ又は組合わせを適用するための様々な選択肢を、図８Ａ〜８Ｆのフローチャートを参照して説明する。以下のフローチャートでは、例えば先に述べた方法の１つを用いて、パターン選択、帯域幅部分割当て、帯域幅部分選択、サブバンド選択及びＲＢ割振りのうち１つ以上を実行することができる。
【０１０１】
図８Ａは、帯域幅部分をニューメロロジに割り当てるための第１の方法のフローチャートである。本方法は、ブロック８００において、可能なパターンのセットからパターンを選択することから始まる。次に、ブロック８０２において、該パターンからの帯域幅部分がニューメロロジに割り当てられる。一部の実施形態では、ＲＢは、ブロック８０４で割り当てられた帯域幅にわたって割り当てられる。
【０１０２】
図８Ｂは、帯域幅部分をニューメロロジに割り当てるための第２の方法のフローチャートである。これには、用いられる帯域幅部分の固定パターンが存在する。ブロック８０６において、帯域幅部分がニューメロロジに割り当てられる。一部の実施形態では、ブロック８０８において割り当てられた帯域幅にわたってＲＢが割り振られる。
【０１０３】
図８Ｃは、ＵＥに対する第１のＲＢ割振りの第１の方法のフローチャートである。本方法は、ブロック８１０において、帯域幅部分を選択することから始まる。ブロック８１２において、選択された帯域幅部分にわたってリソースブロックが割り当てられる。
【０１０４】
図８Ｄは、ＵＥに対するＲＢ割振りの第２の方法のフローチャートである。本方法は、ブロック８１４において、サブバンドを選択することから始まる。ブロック８１６において、選択されたサブバンドにわたってリソースブロックが割り当てられる。
【０１０５】
図８Ｅは、ＵＥに対するＲＢ割振りの第３の方法のフローチャートである。本方法は、ブロック８２０において、帯域幅部分を選択することから始まる。ブロック８２２において、サブバンド部分が選択される。ブロック８２４において、選択されたサブバンド部分にわたってリソースブロックが割り当てられる。
【０１０６】
図８Ｆは、ＵＥに対するＲＢ割振りの第２の方法のフローチャートである。本方法は、ブロック８２６において、サブバンドを選択することから始まる。ブロック８２８において、サブバンド部分が選択される。ブロック８３０において、選択されたサブバンド部分にわたってリソースブロックが割り当てられる。
【０１０７】
図８Ｃ〜図８Ｆのいずれの方法も、スタンドアローンベースで実現されてもよいし、図８Ａ及び８Ｂの方法のうちの１つと組み合わせて実現されてもよい。
【０１０８】
ＲＢ割振りフィールドの例示的ビットマップ
本明細書に記載されたメカニズムの１つ以上で特定された帯域幅内のＲＢの割振りは、任意の適切な方式で実行することができる。ＲＢ割振りを実行するためにビットマップを用いる場合、一般に、指定された帯域幅が小さいほど、ビットマップのサイズは小さくなる。これを理由に、異なるＵＥに対して異なるサイズの帯域幅を指定することができるＵＥ中心アプローチを用いることができる。その結果、より小さい帯域幅が指定されたＵＥにＲＢ割振りを伝達するためには、より少ないオーバヘッドが必要である。
【０１０９】
例えば、以下の表９．４にまとめられるように、ＬＴＥによって提供される方法の１つを用いることができる。
【表９．４】
2019504590.tif 000034
ＲＢ割振りフィールドの様々な具体例について説明する。第１の例では、ニューメロロジに割り当てられる帯域幅部分は、同時割振りの
【数１】
2019504590.tif 000035
個のリソースブロックをサポートする。例えば、帯域幅部分が１０００個のサブキャリア幅であり、各リソースブロックが１０個のサブキャリアである場合、
【数２】
2019504590.tif 000036
は１００である。帯域幅部分をＫ個のサブバンド部分に分割することは、１００個のリソースブロックをＫ個のリソースブロックグループ（サブバンド部分ごとに１つのグループ）に分割する効果を有する。一部の実施形態では、サブバンド部分選択は、所与のＵＥに対するＲＢ割振りに用いるために、ＫからＭ個のサブバンド部分を選択する。これが行われた後、
【数３】
2019504590.tif 000037
個のリソースブロックの中でＲＢ割振りが実行される。任意に、ＲＢＧ割振りは、このリソースブロックのセットにわたっておこなうことができる。一部の実施形態では、より多くのＲＢがスケジューリングに利用可能になると、ＲＢＧのサイズが増大する。サブバンド部分の任意の組合わせを選択するには、最大Ｋビットが必要である。
【０１１０】
一部の実施形態では、サブバンド部分選択は、所与のＵＥに対するＲＢ割振りに用いるために、Ｋから単一のサブバンド部分を選択する。これが行われた後、
【数４】
2019504590.tif 000038
個のリソースブロックの中でＲＢ割振りが実行される。単一のサブバンド部分を選択するには、最大log2Kビットが必要である。
【０１１１】
この方法は、所与のＵＥに対して割り振られたリソースブロック数ＭがＫよりもかなり小さい（Ｍ＜＜Ｋ）とき、オーバヘッドの節約を提供することができる。フルサブバンド割振りが必要となるときの大きなペイロードの場合、ＲＢ割振りは帯域幅部分全体に基づくことができる。
【０１１２】
図９に、オーバヘッド比較の例が示される。これは、Ｋ＝２個のサブバンド部分とＫ＝４個のサブバンド部分を用いる場合のオーバヘッドを、サブバンド部分割当てを用いない（すなわちＫ＝１）場合のオーバヘッドと比較する。横軸は、ＲＢ割振りに用いられる帯域幅のパーセンテージを示す。この例では、２０ＭＨｚの帯域幅と１５ｋＨｚのサブキャリア間隔がある。１２個のサブキャリアを伴うリソースブロックが用いられる。サブバンド部分選択フィールドは、Ｋ個のサブバンド部分からＭ個を選択するのに用いられ、ＲＢ割振りはＲＢＧを用いて実行される。
【０１１３】
Ｋ＝１の場合、帯域幅の１００％がＲＢ割振りに用いられ、そのシナリオのためのオーバヘッドが３００で示される。このアプローチはＬＴＥアプローチと一致する
【０１１４】
Ｋ＝４，Ｍ＝１の場合、サブバンド部分の２５％がＲＢ割振りに用いられ、そのシナリオのためのオーバヘッドが３０２で示される。
【０１１５】
Ｋ＝２，Ｍ＝１の場合、サブバンド部分の５０％がＲＢ割振りに用いられ、そのシナリオのためのオーバヘッドが３０４で示される。
【０１１６】
Ｋ＝４，Ｍ＝２の場合、サブバンド部分の５０％がＲＢ割振りに用いられ、そのシナリオのためのオーバヘッドが３０６で示される。
【０１１７】
Ｋ＝４，Ｍ＝３の場合、サブバンド部分の７５％がＲＢ割振りに用いられ、そのシナリオのためのオーバヘッドが３０８で示される。
【０１１８】
Ｋ＝２，Ｍ＝２の場合、サブバンド部分の１００％がＲＢ割振りに用いられ、そのシナリオのためのオーバヘッドが３１０で示される。
【０１１９】
Ｋ＝４，Ｍ＝４の場合、サブバンド部分の１００％がＲＢ割振りに用いられ、そのシナリオのためのオーバヘッドが３１２で示される。
【０１２０】
予想されるように、Ｍ＜＜Ｋの場合、より少ないビットが必要とされる。
【０１２１】
一部の実施形態では、サブバンド分割が動的に実行される。他の実施形態では、静的又は半静的なサブバンド分割が存在してよい。サブバンド分割が動的でない場合、ＵＥは、半静的に、より長い計画対象期間、特定のサブバンドを割り当てられる。この情報を伝達することは、例えば、各ＴＴＩの一部でありＴＴＩの第１のいくつかのＯＦＤＭシンボルに現れることがある物理ダウンリンク／アップリンク制御チャネル（ＰＤＣＣＨ又はＰＵＣＣＨ）を用いて送信することのできるサブバンド部分選択及びＲＢ割振りとは別個におこなうことができる。
【０１２２】
例１．複数の帯域幅部分のうち所与のニューメロロジに割り当てられる少なくとも１つの帯域幅部分を示すための帯域幅部分割当てを送信するステップであって、所与のニューメロロジは、関連ＯＦＤＭサブキャリア間隔及びシンボル期間を有する、ステップ、を含む方法。
【０１２３】
例２．所与のニューメロロジに割り当てられた示された少なくとも１つの帯域幅部分におけるリソースブロックの割振りを示すためのリソースブロック割振りフィールドを送信するステップ、を更に含む、例１の方法。
【０１２４】
例３．リソースブロック割振りフィールドを送信するステップは、リソースブロック割振りが実行される帯域幅のサイズに比例するサイズを有するリソースブロック割振りフィールドを送信するステップを含む、例２の方法。
【０１２５】
例４．帯域幅部分割当てを送信するステップは、複数の帯域幅部分の任意の組合わせを割り当てることができるように完全に柔軟なシグナリングスキームを用いるステップを含む、例１〜３のいずれかの方法。
【０１２６】
例５．帯域幅部分割当てを送信するステップは、複数の帯域幅部分の連続セットの指示のみをサポートするシグナリングスキームを用いるステップを含む、例１〜４のいずれかの方法。
【０１２７】
例６．複数の帯域幅部分は等しい帯域幅を有する、例１〜５のいずれかの方法。
【０１２８】
例７．複数の帯域幅部分は、複数のパターンのうち選択されたパターンに関連付けられた帯域幅を有し、方法は更に、選択されたパターンを示すためのパターン選択フィールドを送信するステップ、を含む、例１〜６のいずれかの方法。
【０１２９】
例８．ＵＥへの伝送に用いるために、ニューメロロジに割り当てられた少なくとも１つの帯域幅部分から少なくとも１つの帯域幅部分を選択するための帯域幅部分選択フィールドを送信するステップ、を更に含む、例１〜７のいずれかの方法。
【０１３０】
例９．ＵＥへの伝送に用いるために、ニューメロロジに割り当てられるサブバンドを選択するためのサブバンド選択フィールドを送信するステップ、を更に含む、例１〜８のいずれかの方法。
【０１３１】
例１０．選択された少なくとも１つの帯域幅部分におけるリソースブロック又はリソースブロックグループの割振りを示すためのリソースブロック割振りフィールドを送信するステップ、を更に含む、例８の方法。
【０１３２】
例１１．選択された少なくとも１つのサブバンドにおけるリソースブロック又はリソースブロックグループの割振りを示すためのリソースブロック割振りフィールドを送信するステップ、を更に含む、例９の方法。
【０１３３】
例１２．ニューメロロジに割り当てられた少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を更に含む、例１〜１１のいずれかの方法。
【０１３４】
例１３．サブバンド部分選択フィールドは、ニューメロロジに割り当てられた少なくとも１つの帯域幅部分のＬ個のサブバンド部分のセットからサブバンド部分を選択し、Ｌ個のサブバンド部分は等しい帯域幅を有する、例１２の方法。
【０１３５】
例１４．選択された少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を更に含む、例８〜１３のいずれかの方法。
【０１３６】
例１５．選択された少なくとも１つのサブバンドの複数のサブバンド部分から少なくとも１つのサブバンド部分を選択するためのサブバンド部分選択フィールドを送信するステップと、選択された少なくとも１つのサブバンド部分である特定の帯域幅におけるリソースブロック又はリソースブロックグループの割振りを示すためのリソースブロック割振りフィールドを送信するステップと、を更に含む、例８〜１４のいずれかの方法。
【０１３７】
例１６．第１のペイロードを伴う第１のＵＥには第１のリソースブロック割振りフィールドを用い、第２のペイロードを伴う第２のＵＥには第２のリソースブロック割振りフィールドを用いるステップ、を含み、第１のリソースブロック割振りフィールドは第２のリソースブロック割振りフィールドよりも小さい、例１５の方法。
【０１３８】
例１７．ニューメロロジに割り当てられた少なくとも１つの帯域幅部分の複数のサブバンド部分から少なくとも１つのサブバンド部分を選択するためのサブバンド部分選択フィールドを送信するステップと、選択された少なくとも１つのサブバンドにおけるリソースブロック又はリソースブロックグループの割振りを示すためのリソースブロック割振りフィールド部分を送信するステップと、を含む方法。
【０１３９】
例１８．例１〜１７のいずれかの方法を実行するように構成される帯域幅部分割当て部を備える装置。
【０１４０】
例１９．例１７の方法を実行するように構成されるリソースブロック割振り部、を更に備える、例１８の装置。
【０１４１】
例２０．例１７の方法を実行するように構成されるリソースブロック割振り部を備える装置。
【０１４２】
例２１．複数の帯域幅部分のうち所与のニューメロロジに割り当てられる少なくとも１つの帯域幅部分を示すための帯域幅部分割当てを受信するステップであって、所与のニューメロロジは、関連ＯＦＤＭサブキャリア間隔及びシンボル期間を有する、ステップ、を含む方法。
【０１４３】
例２２．所与のニューメロロジに割り当てられた示された少なくとも１つの帯域幅部分におけるリソースブロックの割振りを示すためのリソースブロック割振りフィールドを受信するステップ、を更に含む、例２１の方法。
【０１４４】
例２３．リソースブロック割振りフィールドを受信するステップは、リソースブロック割振りが実行される帯域幅のサイズに比例するサイズを有するリソースブロック割振りフィールドを受信するステップを含む、例２２の方法。
【０１４５】
例２４．帯域幅部分割当てを受信するステップは、複数の帯域幅部分の任意の組合わせを割り当てることができるように完全に柔軟なシグナリングスキームを用いるステップを含む、例２１〜２３のいずれかの方法。
【０１４６】
例２５．帯域幅部分割当てを受信するステップは、複数の帯域幅部分の連続セットの指示のみをサポートするシグナリングスキームを用いるステップを含む、例２１〜２４のいずれかの方法。
【０１４７】
例２６．複数の帯域幅部分は等しい帯域幅を有する、例２１〜２５の方法。
【０１４８】
例２７．複数の帯域幅部分は、複数のパターンのうち選択されたパターンに関連付けられた帯域幅を有し、方法は更に、選択されたパターンを示すためのパターン選択フィールドを受信するステップ、を含む、例２１〜２６のいずれかの方法。
【０１４９】
例２８．ＵＥへの伝送に用いるために、ニューメロロジに割り当てられた少なくとも１つの帯域幅部分から少なくとも１つの帯域幅部分を選択するための帯域幅部分選択フィールドを受信するステップ、を更に含む、例２１〜２７のいずれかの方法。
【０１５０】
例２９．ＵＥへの伝送に用いるために、ニューメロロジに割り当てられるサブバンドを選択するためのサブバンド選択フィールドを受信するステップ、を更に含む、例２１〜２８のいずれかの方法。
【０１５１】
例３０．選択された少なくとも１つの帯域幅部分におけるリソースブロック又はリソースブロックグループの割振りを示すためのリソースブロック割振りフィールドを受信するステップ、を更に含む、例２１〜２９のいずれかの方法。
【０１５２】
例３１．選択された少なくとも１つのサブバンドにおけるリソースブロック又はリソースブロックグループの割振りを示すためのリソースブロック割振りフィールドを受信するステップ、を更に含む、例２１〜３０のいずれかの方法。
【０１５３】
例３２．ニューメロロジに割り当てられた少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を更に含む、例２１〜３１のいずれかの方法。
【０１５４】
例３３．サブバンド部分選択フィールドは、ニューメロロジに割り当てられた少なくとも１つの帯域幅部分のＬ個のサブバンド部分のセットからサブバンド部分を選択し、Ｌ個のサブバンド部分は等しい帯域幅を有する、例３１〜３２のいずれかの方法。
【０１５５】
例３４．選択された少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を更に含む、例２８〜３３のいずれかの方法。
【０１５６】
例３５．選択された少なくとも１つのサブバンドの複数のサブバンド部分から少なくとも１つのサブバンド部分を選択するためのサブバンド部分選択フィールドを受信するステップと、選択された少なくとも１つのサブバンド部分である特定の帯域幅におけるリソースブロック又はリソースブロックグループの割振りを示すためのリソースブロック割振りフィールドを受信するステップと、を更に含む、例２８〜３４のいずれかの方法。
【０１５７】
例３６．第１のペイロードを伴う第１のＵＥには第１のリソースブロック割振りフィールドを用い、第２のペイロードを伴う第２のＵＥには第２のリソースブロック割振りフィールドを用いるステップ、を更に含み、第１のリソースブロック割振りフィールドは第２のリソースブロック割振りフィールドよりも小さい、例３５の方法。
【０１５８】
例３７．ニューメロロジに割り当てられた少なくとも１つの帯域幅部分の複数のサブバンド部分から少なくとも１つのサブバンド部分を選択するためのサブバンド部分選択フィールドを受信するステップと、選択された少なくとも１つのサブバンドにおけるリソースブロック又はリソースブロックグループの割振りを示すためのリソースブロック割振りフィールド部分を受信するステップと、を含む方法。
【０１５９】
例３８．例２１〜３６のいずれかの方法を実行するように構成される帯域幅部分プロセッサを備える装置。
【０１６０】
例３９．例３７の方法を実行するように構成されるリソースブロック割振りプロセッサ、を更に備える、例３８の装置。
【０１６１】
例４０．例３７の方法を実行するように構成されるリソースブロック割振りプロセッサを備える装置。
【０１６２】
上記の教示に照らして、本開示の多数の変更及び変形が可能である。したがって、理解されるべきこととして、添付の特許請求の範囲の範囲内で、本開示は、本明細書に具体的に記載されたものとは異なる方法で実施することができる。
【国際調査報告】
2019504590.tif 000039
2019504590.tif 000040